(57)【要約】  Ｗｉ−Ｆｉネットワーク接続方法及びＷｉ−Ｆｉ装置が提供される。Ｗｉ−Ｆｉネットワーク接続方法は、第１のＷｉ−Ｆｉ装置が、第２のＷｉ−Ｆｉ装置によりブロードキャストされた少なくとも１つのパケットを取得するステップであって、各パケットはチャネル情報を有する、取得するステップと、第１のＷｉ−Ｆｉ装置が、少なくとも１つのパケットのチャネル情報に従ってターゲットチャネル情報を決定するステップと、第１のＷｉ−Ｆｉ装置が、ターゲットチャネル情報に従ってＷｉ−Ｆｉネットワークアクセスを実行するか、又はユーザ装置のためのホットスポットサービスを提供するステップとを有する。本発明の実施例における第１のＷｉ−Ｆｉ装置は、パケットにおけるチャネル情報を取得することによってターゲットチャネル情報を決定し、これにより、第１のＷｉ−Ｆｉ装置は、ターゲットチャネル情報に従ってＷｉ−Ｆｉネットワークアクセスを適切に実行するか、又はホットスポットサービスを提供する。
2016524869.tif 000002
【特許請求の範囲】
【請求項１】
Ｗｉ−Ｆｉネットワーク接続方法であって、
第１のＷｉ−Ｆｉ装置が、第２のＷｉ−Ｆｉ装置によりブロードキャストされた少なくとも１つのパケットを取得するステップであって、各パケットはチャネル情報を有する、取得するステップと、
前記第１のＷｉ−Ｆｉ装置が、前記少なくとも１つのパケットのチャネル情報に従ってターゲットチャネル情報を決定するステップと、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップと、
を有するＷｉ−Ｆｉネットワーク接続方法。
【請求項２】
前記チャネル情報はチャネルリストを有し、前記少なくとも１つのパケットは複数のパケットを有し、
前記少なくとも１つのパケットのチャネル情報に従ってターゲットチャネル情報を決定するステップは、
前記複数のパケットの複数のチャネルリストを取得するステップと、
前記複数のチャネルリストに従ってターゲットチャネルリストを決定し、前記ターゲットチャネルリストを前記ターゲットチャネル情報として使用するステップと、
を有するか、
又は、
前記少なくとも１つのパケットは１つのパケットを有し、前記チャネル情報はチャネルリストを有し、
前記少なくとも１つのパケットのチャネル情報に従ってターゲットチャネル情報を決定するステップは、前記１つのパケットのチャネルリストを取得し、前記取得したチャネルリストを前記ターゲットチャネル情報として使用するステップを有する、請求項１記載のＷｉ−Ｆｉネットワーク接続方法。
【請求項３】
前記複数のチャネルリストに従ってターゲットチャネルリストを決定するステップは、
前記複数のチャネルリストのチャネルを比較するステップと、
同一のチャネルを有するチャネルリストの数をカウントするステップと、
前記数が第１の設定値に達すると、前記同一のチャネルを有するチャネルリストが前記ターゲットチャネルリストであると判断するステップと、
を有する、請求項２記載のＷｉ−Ｆｉネットワーク接続方法。
【請求項４】
前記チャネル情報はカントリコードを有し、前記少なくとも１つのパケットは複数のパケットを有し、
前記少なくとも１つのパケットのチャネル情報に従ってターゲットチャネル情報を決定するステップは、
前記複数のパケットの複数のカントリコードを取得するステップと、
前記複数のカントリコードに従ってターゲットカントリコードを決定し、前記ターゲットカントリコードを前記ターゲットチャネル情報として使用するステップと、
を有するか、
又は、
前記少なくとも１つのパケットは１つのパケットを有し、前記チャネル情報はカントリコードを有し、
前記少なくとも１つのパケットのチャネル情報に従ってターゲットチャネル情報を決定するステップは、前記パケットのカントリコードを取得し、前記取得したカントリコードを前記ターゲットチャネル情報として使用するステップを有する、請求項１記載のＷｉ−Ｆｉネットワーク接続方法。
【請求項５】
前記複数のカントリコードに従ってターゲットカントリコードを決定するステップは、
前記複数のカントリコードを比較するステップと、
同一のカントリコードの数をカウントするステップと、
前記数が第２の設定値に達すると、前記同一のカントリコードが前記ターゲットカントリコードであると判断するステップと、
を有する、請求項４記載のＷｉ−Ｆｉネットワーク接続方法。
【請求項６】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップは、
前記第１のＷｉ−Ｆｉ装置が、前記ターゲットチャネル情報に従って、予め記憶されたチャネル情報リストにおける前記ターゲットチャネル情報に対応する予め記憶されたチャネルリストを検索し、前記第１のＷｉ−Ｆｉ装置が、前記ターゲットチャネル情報に対応する予め記憶されたチャネルリストに従って、Ｗｉ−Ｆｉネットワークアクセスを実行するか、又はユーザ装置のためのホットスポットサービスを提供するステップを有し、
前記予め記憶されたチャネル情報リストは、予め記憶されたカントリコードと予め記憶されたチャネルリストとの間の一対一の対応関係を有し、前記予め記憶されたチャネル情報リストは少なくとも１つの一対一の対応関係を有する、請求項４又は５記載のＷｉ−Ｆｉネットワーク接続方法。
【請求項７】
前記予め記憶されたチャネル情報リストは更に、前記予め記憶されたカントリコードと予め記憶された干渉チャネルとの間の第１の対応関係を有し、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの前に、当該方法は更に、
前記第１のＷｉ−Ｆｉ装置が、前記ターゲットチャネル情報及び前記第１の対応関係に従って、前記ターゲットチャネル情報に対応する干渉チャネルを決定するステップと、
前記第１のＷｉ−Ｆｉ装置が干渉処理機能をサポートしていると前記第１のＷｉ−Ｆｉ装置が判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記第１のＷｉ−Ｆｉ装置が干渉処理機能をサポートしないと前記第１のＷｉ−Ｆｉ装置が判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択ＤＦＳ機能又は送信電力制御ＴＰＣ機能を有する、請求項６記載のＷｉ−Ｆｉネットワーク接続方法。
【請求項８】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するステップを有する、請求項１乃至６何れか一項記載のＷｉ−Ｆｉネットワーク接続方法。
【請求項９】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が送信電力制御ＴＰＣ機能をサポートしていると判断した場合、前記第１のＷｉ−Ｆｉ装置の送信電力を低下するステップを有する、請求項１乃至６何れか一項記載のＷｉ−Ｆｉネットワーク接続方法。
【請求項１０】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が干渉処理機能をサポートしていないと判断した場合、前記チャネルを手動により設定するか、又はＷｉ−Ｆｉネットワークを切断するようユーザを促すステップを有し、
前記干渉処理機能は、動的周波数選択ＤＦＳ機能又は送信電力制御ＴＰＣ機能を有する、請求項１乃至６何れか一項記載のＷｉ−Ｆｉネットワーク接続方法。
【請求項１１】
前記第１のＷｉ−Ｆｉ装置が、前記少なくとも１つのパケットのチャネル情報に従ってターゲットチャネル情報を決定するステップの前に、当該方法は更に、
前記第１のＷｉ−Ｆｉ装置が、アップデートチャネルのアップデート信号を受信するステップを有し、
前記アップデート信号は、ローミング信号、初期デバイス使用信号、ＳＩＭ／ＵＩＭカード挿入信号、タイミング信号又は電源オン信号である、請求項１乃至１０何れか一項記載のＷｉ−Ｆｉネットワーク接続方法。
【請求項１２】
Ｗｉ−Ｆｉ制御モジュールを有するＷｉ−Ｆｉ制御チップであって、
前記Ｗｉ−Ｆｉ制御モジュールは、第２のＷｉ−Ｆｉ装置によりブロードキャストされた少なくとも１つのパケットを取得するようＷｉ−Ｆｉチップを制御するよう構成され、
各パケットはチャネル情報を有し、
前記Ｗｉ−Ｆｉ制御モジュールは、前記少なくとも１つのパケットのチャネル情報に従ってターゲットチャネル情報を決定し、
前記Ｗｉ−Ｆｉ制御モジュールは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉ制御チップ。
【請求項１３】
前記チャネル情報はチャネルリストを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記１つのパケットのチャネルリストを取得し、前記取得したチャネルリストを前記ターゲットチャネル情報として使用することを有する、請求項１２記載のＷｉ−Ｆｉ装置。
【請求項１４】
前記Ｗｉ−Ｆｉ制御モジュールが前記複数のチャネルリストに従ってターゲットチャネルリストを決定することは、前記Ｗｉ−Ｆｉ制御モジュールが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する、請求項１３記載のＷｉ−Ｆｉ装置。
【請求項１５】
前記チャネル情報はカントリコードを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記パケットのカントリコードを取得し、前記取得したカントリコードを前記ターゲットチャネル情報として使用することを有する、請求項１２記載のＷｉ−Ｆｉ装置。
【請求項１６】
前記Ｗｉ−Ｆｉ制御モジュールが前記複数のカントリコードに従ってターゲットカントリコードを決定することは、前記Ｗｉ−Ｆｉ制御モジュールが、前記複数のカントリコードを比較し、同一のカントリコードの数をカウントし、前記数が第２の設定値に達すると、前記同一のカントリコードが前記ターゲットカントリコードであると判断することを有する、請求項１５記載のＷｉ−Ｆｉ装置。
【請求項１７】
前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御することは、
前記Ｗｉ−Ｆｉ制御モジュールが、前記ターゲットチャネル情報に従って、予め記憶されたチャネル情報リストにおける前記ターゲットチャネル情報に対応する予め記憶されたチャネルリストを検索し、前記Ｗｉ−Ｆｉ制御モジュールが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する、請求項１５又は１６記載のＷｉ−Ｆｉ装置。
【請求項１８】
前記予め記憶されたチャネル情報リストは更に、前記予め記憶されたカントリコードと予め記憶された干渉チャネルとの間の第１の対応関係を有し、前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、当該方法は更に、
前記Ｗｉ−Ｆｉ制御モジュールが、前記ターゲットチャネル情報及び前記第１の対応関係に従って、前記ターゲットチャネル情報に対応する干渉チャネルを決定するステップと、
前記Ｗｉ−Ｆｉ制御モジュールが干渉処理機能をサポートしていると前記Ｗｉ−Ｆｉ制御モジュールが判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記Ｗｉ−Ｆｉ制御モジュールが干渉処理機能をサポートしないと前記Ｗｉ−Ｆｉ制御モジュールが判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択ＤＦＳ機能又は送信電力制御ＴＰＣ機能を有する、請求項１７記載のＷｉ−Ｆｉ装置。
【請求項１９】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉ装置は更に、
前記Ｗｉ−Ｆｉ制御モジュールが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御することを有する、請求項１２乃至１７何れか一項記載のＷｉ−Ｆｉ装置。
【請求項２０】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉ装置は更に、
前記Ｗｉ−Ｆｉ制御モジュールが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置の送信電力を低下することを有する、請求項１２乃至１７何れか一項記載のＷｉ−Ｆｉ装置。
【請求項２１】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ装置は更に、
前記Ｗｉ−Ｆｉ制御モジュールが、アップデートチャネルのアップデート信号を受信することを有し、
前記アップデート信号は、ローミング信号、初期デバイス使用信号、ＳＩＭ／ＵＩＭカード挿入信号、タイミング信号又は電源オン信号である、請求項１２乃至２０何れか一項記載のＷｉ−Ｆｉ装置。
【請求項２２】
Ｗｉ−Ｆｉ装置であって、
当該Ｗｉ−Ｆｉ装置は、ベースバンドチップ及びＷｉ−Ｆｉチップを有し、前記ベースバンドチップは、データバスを用いることによって前記Ｗｉ−Ｆｉチップに接続され、前記ベースバンドチップは、第２のＷｉ−Ｆｉ装置によりブロードキャストされた少なくとも１つのパケットを取得するよう前記Ｗｉ−Ｆｉチップを制御し、各パケットはチャネル情報を有し、
前記ベースバンドチップは、前記少なくとも１つのパケットのチャネル情報に従ってターゲットチャネル情報を決定し、
前記ベースバンドチップは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉ装置。
【請求項２３】
前記チャネル情報はチャネルリストを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記ベースバンドチップが前記少なくとも１つのパケットのチャネル情報に従ってターゲットチャネル情報を決定することは、前記ベースバンドチップが、前記１つのパケットのチャネルリストを取得し、前記取得したチャネルリストを前記ターゲットチャネル情報として使用する、請求項２２記載のＷｉ−Ｆｉ装置。
【請求項２４】
前記ベースバンドチップが前記複数のチャネルリストに従ってターゲットチャネルリストを決定することは、前記ベースバンドチップが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する、請求項２３記載のＷｉ−Ｆｉ装置。
【請求項２５】
前記チャネル情報はカントリコードを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記ベースバンドチップが前記少なくとも１つのパケットのチャネル情報に従ってターゲットチャネル情報を決定することは、前記ベースバンドチップが、前記パケットのカントリコードを取得し、前記取得したカントリコードを前記ターゲットチャネル情報として使用することを有する、請求項２２記載のＷｉ−Ｆｉ装置。
【請求項２６】
前記ベースバンドチップが前記複数のカントリコードに従ってターゲットカントリコードを決定することは、前記ベースバンドチップが、前記複数のカントリコードを比較し、同一のカントリコードの数をカウントし、前記数が第２の設定値に達すると、前記同一のカントリコードが前記ターゲットカントリコードであると判断することを有する、請求項２５記載のＷｉ−Ｆｉ装置。
【請求項２７】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御することは、前記ベースバンドチップが、前記ターゲットチャネル情報に従って、予め記憶されたチャネル情報リストにおける前記ターゲットチャネル情報に対応する予め記憶されたチャネルリストを検索し、前記ベースバンドチップが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する、請求項２５又は２６記載のＷｉ−Ｆｉ装置。
【請求項２８】
前記予め記憶されたチャネル情報リストは更に、前記予め記憶されたカントリコードと予め記憶された干渉チャネルとの間の第１の対応関係を有し、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記ベースバンドチップが、前記ターゲットチャネル情報及び前記第１の対応関係に従って、前記ターゲットチャネル情報に対応する干渉チャネルを決定し、
前記ベースバンドチップが干渉処理機能をサポートしていると前記ベースバンドチップが判断した場合、前記ベースバンドチップが、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するか、
又は、
前記ベースバンドチップが干渉処理機能をサポートしないと前記ベースバンドチップが判断した場合、前記ベースバンドチップが、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供し、
前記干渉処理機能は、動的周波数選択ＤＦＳ機能又は送信電力制御ＴＰＣ機能を有する、請求項２７記載のＷｉ−Ｆｉ装置。
【請求項２９】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、前記ベースバンドチップは、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御する、請求項２２乃至２７何れか一項記載のＷｉ−Ｆｉ装置。
【請求項３０】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置は更に、前記Ｗｉ−Ｆｉ装置の送信電力を低下することを有する、請求項２２乃至２７何れか一項記載のＷｉ−Ｆｉ装置。
【請求項３１】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ装置は更に、前記ベースバンドチップが、アップデートチャネルのアップデート信号を受信することを有し、前記アップデート信号は、ローミング信号、初期デバイス使用信号、ＳＩＭ／ＵＩＭカード挿入信号、タイミング信号又は電源オン信号である、請求項２２乃至３０何れか一項記載のＷｉ−Ｆｉ装置。
【発明の詳細な説明】
【技術分野】
【０００１】
本発明の実施例は、通信技術の分野に関し、特にＷｉ−Ｆｉネットワーク接続方法、Ｗｉ−Ｆｉコントローラ及びＷｉ−Ｆｉ装置に関する。
【背景技術】
【０００２】
ワイヤレス・フィデリティ（Ｗｉｒｅｌｅｓｓ−Ｆｉｄｅｌｉｔｙ、略してＷｉ−Ｆｉ）技術が継続的に発達するに従って、Ｗｉ−Ｆｉネットワークがより広く適用されてきた。様々な国により利用されるＷｉ−Ｆｉチャネル及びＷｉ−Ｆｉチャネルのための要件は異なりうる。
【０００３】
Ｗｉ−Ｆｉ装置が各国においてＷｉ−Ｆｉネットワークを利用するとき、ローカルな国のＷｉ−Ｆｉ通信要件が充足される必要がある。しかしながら、Ｗｉ−Ｆｉ技術が急速に発達するに従って、様々な国の通信チャネル及び要件もまた継続的に変更される。従って、Ｗｉ−Ｆｉ装置に予め設定されたチャネルリストがタイムリな方式により更新されないとき、異なる国におけるローカルなＷｉ−Ｆｉネットワークは、設定されたチャネルリストに従って適切に利用されないかもしれない。
【発明の概要】
【０００４】
本発明の実施例は、既存のＷｉ−Ｆｉ装置が設定されたチャネルリストに従って異なる国においてローカルなＷｉ−Ｆｉネットワークをしばしば適切に利用できないという問題を解決するため、Ｗｉ−Ｆｉネットワーク接続方法、Ｗｉ−Ｆｉコントローラ及びＷｉ−Ｆｉ装置を提供する。
【０００５】
上記目的を達成するため、以下の技術的方策が本発明の実施例において採用される。
【０００６】
第１の態様によると、Ｗｉ−Ｆｉネットワーク接続方法であって、
第１のＷｉ−Ｆｉ装置が、第２のＷｉ−Ｆｉ装置によりブロードキャストされた少なくとも１つのパケットを取得するステップであって、各パケットはチャネル情報を有する、取得するステップと、
前記第１のＷｉ−Ｆｉ装置が、前記少なくとも１つのパケットのチャネル情報に従ってターゲットチャネル情報を決定するステップと、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップと、
を有するＷｉ−Ｆｉネットワーク接続方法が提供される。
【０００７】
第１の態様の第１の可能な実現方式では、前記チャネル情報はチャネルリストを有し、前記少なくとも１つのパケットは複数のパケットを有し、
前記少なくとも１つのパケットのチャネル情報に従ってターゲットチャネル情報を決定するステップは、
前記複数のパケットの複数のチャネルリストを取得するステップと、
前記複数のチャネルリストに従ってターゲットチャネルリストを決定し、前記ターゲットチャネルリストを前記ターゲットチャネル情報として使用するステップと、
を有するか、
又は、
前記少なくとも１つのパケットは１つのパケットを有し、前記チャネル情報はチャネルリストを有し、
前記少なくとも１つのパケットのチャネル情報に従ってターゲットチャネル情報を決定するステップは、前記１つのパケットのチャネルリストを取得し、前記取得したチャネルリストを前記ターゲットチャネル情報として使用するステップを有する。
【０００８】
第１の態様の第１の可能な実現方式を参照して、第２の可能な実現方式では、前記複数のチャネルリストに従ってターゲットチャネルリストを決定するステップは、
前記複数のチャネルリストのチャネルを比較するステップと、
同一のチャネルを有するチャネルリストの数をカウントするステップと、
前記数が第１の設定値に達すると、前記同一のチャネルを有するチャネルリストが前記ターゲットチャネルリストであると判断するステップと、
を有する。
【０００９】
第１の態様を参照して、第３の可能な実現方式では、前記チャネル情報はカントリコードを有し、前記少なくとも１つのパケットは複数のパケットを有し、
前記少なくとも１つのパケットのチャネル情報に従ってターゲットチャネル情報を決定するステップは、
前記複数のパケットの複数のカントリコードを取得するステップと、
前記複数のカントリコードに従ってターゲットカントリコードを決定し、前記ターゲットカントリコードを前記ターゲットチャネル情報として使用するステップと、
を有するか、
又は、
前記少なくとも１つのパケットは１つのパケットを有し、前記チャネル情報はカントリコードを有し、
前記少なくとも１つのパケットのチャネル情報に従ってターゲットチャネル情報を決定するステップは、前記パケットのカントリコードを取得し、前記取得したカントリコードを前記ターゲットチャネル情報として使用するステップを有する。
【００１０】
第１の態様の第３の可能な実現方式を参照して、第４の可能な実現方式では、前記複数のカントリコードに従ってターゲットカントリコードを決定するステップは、
前記複数のカントリコードを比較するステップと、
同一のカントリコードの数をカウントするステップと、
前記数が第２の設定値に達すると、前記同一のカントリコードが前記ターゲットカントリコードであると判断するステップと、
を有する。
【００１１】
第１の態様又は上記の可能な実現方式の何れか１つを参照して、第５の可能な実現方式では、前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップは、
前記第１のＷｉ−Ｆｉ装置が、前記ターゲットチャネル情報に従って、予め記憶されたチャネル情報リストにおける前記ターゲットチャネル情報に対応する予め記憶されたチャネルリストを検索し、前記第１のＷｉ−Ｆｉ装置が、前記ターゲットチャネル情報に対応する予め記憶されたチャネルリストに従って、Ｗｉ−Ｆｉネットワークアクセスを実行するか、又はユーザ装置のためのホットスポットサービスを提供するステップを有し、
前記予め記憶されたチャネル情報リストは、予め記憶されたカントリコードと予め記憶されたチャネルリストとの間の一対一の対応関係を有し、前記予め記憶されたチャネル情報リストは少なくとも１つの一対一の対応関係を有する。
【００１２】
第１の態様又は上記の可能な実現方式の何れか１つを参照して、第６の可能な実現方式では、前記予め記憶されたチャネル情報リストは更に、前記予め記憶されたカントリコードと予め記憶された干渉チャネルとの間の第１の対応関係を有し、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの前に、当該方法は更に、
前記第１のＷｉ−Ｆｉ装置が、前記ターゲットチャネル情報及び前記第１の対応関係に従って、前記ターゲットチャネル情報に対応する干渉チャネルを決定するステップと、
前記第１のＷｉ−Ｆｉ装置が干渉処理機能をサポートしていると前記第１のＷｉ−Ｆｉ装置が判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記第１のＷｉ−Ｆｉ装置が干渉処理機能をサポートしないと前記第１のＷｉ−Ｆｉ装置が判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択ＤＦＳ機能又は送信電力制御ＴＰＣ機能を有する。
【００１３】
第１の態様又は上記の可能な実現方式の何れか１つを参照して、第７の可能な実現方式では、前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するステップを有する。
【００１４】
第１の態様又は上記の可能な実現方式の何れか１つを参照して、第８の可能な実現方式では、前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が送信電力制御ＴＰＣ機能をサポートしていると判断した場合、前記第１のＷｉ−Ｆｉ装置の送信電力を低下するステップを有する。
【００１５】
第１の態様又は上記の可能な実現方式の何れか１つを参照して、第９の可能な実現方式では、前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が干渉処理機能をサポートしていないと判断した場合、前記チャネルを手動により設定するか、又はＷｉ−Ｆｉネットワークを切断するようユーザを促すステップを有し、
前記干渉処理機能は、動的周波数選択ＤＦＳ機能又は送信電力制御ＴＰＣ機能を有する。
【００１６】
第１の態様の第９の可能な実現方式を参照して、第１０の可能な実現方式では、前記第１のＷｉ−Ｆｉ装置が、前記少なくとも１つのパケットのチャネル情報に従ってターゲットチャネル情報を決定するステップの前に、当該方法は更に、前記第１のＷｉ−Ｆｉ装置が、アップデートチャネルのアップデート信号を受信するステップを有し、前記アップデート信号は、ローミング信号、初期デバイス使用信号、ＳＩＭ／ＵＩＭカード挿入信号、タイミング信号又は電源オン信号である。
【００１７】
第２の態様によると、Ｗｉ−Ｆｉ制御モジュールを有するＷｉ−Ｆｉコントローラであって、前記Ｗｉ−Ｆｉ制御モジュールは、第２のＷｉ−Ｆｉ装置によりブロードキャストされた少なくとも１つのパケットを取得するようＷｉ−Ｆｉチップを制御するよう構成され、各パケットはチャネル情報を有し、
前記Ｗｉ−Ｆｉ制御モジュールは、前記少なくとも１つのパケットのチャネル情報に従ってターゲットチャネル情報を決定し、
前記Ｗｉ−Ｆｉ制御モジュールは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉコントローラが提供される。
【００１８】
第２の態様の第１の可能な実現方式では、前記チャネル情報はチャネルリストを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記１つのパケットのチャネルリストを取得し、前記取得したチャネルリストを前記ターゲットチャネル情報として使用することを有する。
【００１９】
第２の態様又は上記の第１の可能な実現方式を参照して、第２の可能な実現方式では、前記Ｗｉ−Ｆｉ制御モジュールが前記複数のチャネルリストに従ってターゲットチャネルリストを決定することは、前記Ｗｉ−Ｆｉ制御モジュールが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する。
【００２０】
第２の態様又は上記の可能な実現方式の何れか１つを参照して、第３の可能な実現方式では、前記チャネル情報はカントリコードを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記パケットのカントリコードを取得し、前記取得したカントリコードを前記ターゲットチャネル情報として使用することを有する。
【００２１】
第２の態様又は上記の可能な実現方式の何れか１つを参照して、第４の可能な実現方式では、前記Ｗｉ−Ｆｉ制御モジュールが前記複数のカントリコードに従ってターゲットカントリコードを決定することは、
前記Ｗｉ−Ｆｉ制御モジュールが、前記複数のカントリコードを比較し、同一のカントリコードの数をカウントし、前記数が第２の設定値に達すると、前記同一のカントリコードが前記ターゲットカントリコードであると判断することを有する。
【００２２】
第２の態様又は上記の可能な実現方式の何れか１つを参照して、第５の可能な実現方式では、前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御することは、
前記Ｗｉ−Ｆｉ制御モジュールが、前記ターゲットチャネル情報に従って、予め記憶されたチャネル情報リストにおける前記ターゲットチャネル情報に対応する予め記憶されたチャネルリストを検索し、前記Ｗｉ−Ｆｉ制御モジュールが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する。
【００２３】
第２の態様又は上記の可能な実現方式の何れか１つを参照して、第６の可能な実現方式では、前記予め記憶されたチャネル情報リストは更に、前記予め記憶されたカントリコードと予め記憶された干渉チャネルとの間の第１の対応関係を有し、前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、当該方法は更に、
前記Ｗｉ−Ｆｉ制御モジュールが、前記ターゲットチャネル情報及び前記第１の対応関係に従って、前記ターゲットチャネル情報に対応する干渉チャネルを決定するステップと、
前記Ｗｉ−Ｆｉ制御モジュールが干渉処理機能をサポートしていると前記Ｗｉ−Ｆｉ制御モジュールが判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記Ｗｉ−Ｆｉ制御モジュールが干渉処理機能をサポートしないと前記Ｗｉ−Ｆｉ制御モジュールが判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択ＤＦＳ機能又は送信電力制御ＴＰＣ機能を有する。
【００２４】
第２の態様又は上記の可能な実現方式の何れか１つを参照して、第７の可能な実現方式では、前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉコントローラは更に、
前記Ｗｉ−Ｆｉ制御モジュールが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御することを有する。
【００２５】
第２の態様又は上記の可能な実現方式の何れか１つを参照して、第８の可能な実現方式では、前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉコントローラは更に、前記Ｗｉ−Ｆｉ制御モジュールが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置の送信電力を低下することを有する。
【００２６】
第２の態様又は上記の可能な実現方式の何れか１つを参照して、第９の可能な実現方式では、前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉコントローラは更に、前記Ｗｉ−Ｆｉ制御モジュールが、アップデートチャネルのアップデート信号を受信することを有し、前記アップデート信号は、ローミング信号、初期デバイス使用信号、ＳＩＭ／ＵＩＭカード挿入信号、タイミング信号又は電源オン信号である。
【００２７】
第３の態様によると、ベースバンドチップ及びＷｉ−Ｆｉチップを有するＷｉ−Ｆｉ装置であって、前記ベースバンドチップは、データバスを用いることによって前記Ｗｉ−Ｆｉチップに接続され、前記ベースバンドチップは、第２のＷｉ−Ｆｉ装置によりブロードキャストされた少なくとも１つのパケットを取得するよう前記Ｗｉ−Ｆｉチップを制御し、各パケットはチャネル情報を有し、
前記ベースバンドチップは、前記少なくとも１つのパケットのチャネル情報に従ってターゲットチャネル情報を決定し、
前記ベースバンドチップは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉ装置が提供される。
【００２８】
第３の態様の第１の可能な実現方式では、前記チャネル情報はチャネルリストを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記ベースバンドチップが前記少なくとも１つのパケットのチャネル情報に従ってターゲットチャネル情報を決定することは、前記ベースバンドチップが、前記１つのパケットのチャネルリストを取得し、前記取得したチャネルリストを前記ターゲットチャネル情報として使用する。
【００２９】
第３の態様又は上記の第１の可能な実現方式を参照して、第２の可能な実現方式では、前記ベースバンドチップが前記複数のチャネルリストに従ってターゲットチャネルリストを決定することは、
前記ベースバンドチップが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する。
【００３０】
第３の態様又は上記の第１の実現方式を参照して、第３の可能な実現方式では、前記チャネル情報はカントリコードを有し、前記少なくとも１つのパケットは複数のパケットを有し、
前記ベースバンドチップが前記少なくとも１つのパケットのチャネル情報に従ってターゲットチャネル情報を決定することは、
前記ベースバンドチップが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、前記ベースバンドチップが前記少なくとも１つのパケットのチャネル情報に従ってターゲットチャネル情報を決定することは、前記ベースバンドチップが、前記パケットのカントリコードを取得し、前記取得したカントリコードを前記ターゲットチャネル情報として使用することを有する。
【００３１】
第３の態様又は上記の第１の可能な実現方式を参照して、第４の可能な実現方式では、前記ベースバンドチップが前記複数のカントリコードに従ってターゲットカントリコードを決定することは、
前記ベースバンドチップが、前記複数のカントリコードを比較し、同一のカントリコードの数をカウントし、前記数が第２の設定値に達すると、前記同一のカントリコードが前記ターゲットカントリコードであると判断することを有する。
【００３２】
第３の態様又は上記の第１の可能な実現方式を参照して、第５の可能な実現方式では、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御することは、
前記ベースバンドチップが、前記ターゲットチャネル情報に従って、予め記憶されたチャネル情報リストにおける前記ターゲットチャネル情報に対応する予め記憶されたチャネルリストを検索し、前記ベースバンドチップが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する。
【００３３】
第３の態様又は上記の第１の可能な実現方式を参照して、第６の可能な実現方式では、前記予め記憶されたチャネル情報リストは更に、前記予め記憶されたカントリコードと予め記憶された干渉チャネルとの間の第１の対応関係を有し、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記ベースバンドチップが、前記ターゲットチャネル情報及び前記第１の対応関係に従って、前記ターゲットチャネル情報に対応する干渉チャネルを決定し、
前記ベースバンドチップが干渉処理機能をサポートしていると前記ベースバンドチップが判断した場合、前記ベースバンドチップが、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するか、
又は、
前記ベースバンドチップが干渉処理機能をサポートしないと前記ベースバンドチップが判断した場合、前記ベースバンドチップが、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供し、前記干渉処理機能は、動的周波数選択ＤＦＳ機能又は送信電力制御ＴＰＣ機能を有する。
【００３４】
第３の態様又は上記の第１の可能な実現方式を参照して、第７の可能な実現方式では、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、前記ベースバンドチップは、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御する。
【００３５】
第３の態様又は上記の第１の可能な実現方式を参照して、第８の可能な実現方式では、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置は更に、前記Ｗｉ−Ｆｉ装置の送信電力を低下することを有する。
【００３６】
第３の態様又は上記の第１の可能な実現方式を参照して、第９の可能な実現方式では、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ装置は更に、前記ベースバンドチップが、アップデートチャネルのアップデート信号を受信することを有し、前記アップデート信号は、ローミング信号、初期デバイス使用信号、ＳＩＭ／ＵＩＭカード挿入信号、タイミング信号又は電源オン信号である。
【００３７】
従来技術と比較し、本発明において提供される上記の技術的方策の何れかの技術的方策は以下の効果を有する。すなわち、Ｗｉ−Ｆｉネットワークが使用される前に、第１のＷｉ−Ｆｉ装置の周囲の第２のＷｉ−Ｆｉ装置によりブロードキャストされたパケットが、対応するパケットのチャネル情報を取得するためリッスンされ、ここで、使用されるカントリコード及びチャネルリストがローカルな通信要件を充たすことを保証するため、チャネル情報はカントリコード及びチャネルリストを有し、これにより、Ｗｉ−Ｆｉ装置は通常のネットワークアクセスを実行できる。
【図面の簡単な説明】
【００３８】
本発明の実施例又は従来技術における技術的方策をより明確に説明するため、以下において、実施例又は従来技術を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【図１】図１は、本発明の実施例によるＷｉ−Ｆｉネットワークが使用される適用シナリオの図である。
【図２】図２は、本発明の実施例にＷｉ−Ｆｉネットワーク接続方法のフローチャートである。
【図３】図３は、本発明の実施例による第１のＷｉ−Ｆｉ装置がＷｉ−Ｆｉネットワーク接続方法を起動するフローチャートである。
【図４】図４は、本発明の実施例による第１のＷｉ−Ｆｉ装置がターゲットチャネルリストを決定するフローチャートである。
【図５】図５は、本発明の実施例による第１のＷｉ−Ｆｉ装置がターゲットカントリコードを決定するフローチャートである。
【図６】図６は、本発明の実施例による第１のＷｉ−Ｆｉ装置がＷｉ−Ｆｉネットワークアクセスを実行するか、又はユーザ装置のためのホットスポットサービスを提供するフローチャートである。
【図７】図７は、本発明の他の実施例によるＷｉ−Ｆｉネットワークを利用するため第１のＷｉ−Ｆｉ装置により使用される方法のフローチャートである。
【図８】図８は、本発明の実施例による第１のＷｉ−Ｆｉ装置が日本において使用される際に用いられるチャネルリストの概略図である。
【図９】図９は、本発明の他の実施例によるＷｉ−Ｆｉコントローラのアーキテクチャの概略図である。
【図１０】図１０は、本発明の更なる他の実施例によるＷｉ−Ｆｉ装置のハードウェアアーキテクチャの概略図である。
【発明を実施するための形態】
【００３９】
以下は、本発明の実施例における添付図面を参照して本発明の実施例における技術的方策を明確且つ完全に説明する。明らかに、説明される実施例は、本発明の実施例の全てでなく単なる一部である。創作的な努力なく本発明の実施例に基づき当業者により取得される他の全ての実施例は、本発明の保護範囲内に属する。
【００４０】
実施例１
図１は、本発明の実施例によるＷｉ−Ｆｉネットワーク接続方法の適用シナリオ図である。Ｗｉ−Ｆｉ装置は、アップリンク方向におけるステーション（Ｓｔａｔｉｏｎ、略してＳＴＡ）として機能し、２．４ＧＨｚ／５ＧＨｚ周波数帯又は他の周波数帯においてＷｉ−Ｆｉネットワークにアクセスしてもよく、ダウンリンク方向ではアクセスポイント（Ａｃｃｅｓｓ  Ｐｏｉｎｔ、略してＡＰ）、すなわち、ホットスポットとして機能してもよく、これにより、２．４ＧＨｚ／５ＧＨｚ又は他の周波数におけるＷｉ−Ｆｉ端末は、Ｗｉ−Ｆｉ装置を用いることによってインターネットにアクセスしてもよく、また、ＡＰ機能を有する端末として機能してもよい。従って、Ｗｉ−Ｆｉ装置の具体的な実現方式は、ルータ、Ｍｏｂｉｌｅ  Ｗｉ−Ｆｉ、データカードなどであってもよく、又は、Ｗｉ−Ｆｉ機能を有する携帯電話やＰＡＤなどの端末装置であってもよい。
【００４１】
図２は、Ｗｉ−Ｆｉ装置に適用されるＷｉ−Ｆｉネットワーク接続方法を示し、当該方法は以下を有する。
【００４２】
Ｓ１．第１のＷｉ−Ｆｉ装置が、第２のＷｉ−Ｆｉ装置によりブロードキャストされた少なくとも１つのパケットを取得し、ここで、各パケットはチャネル情報を有する。
【００４３】
具体的には、第１のＷｉ−Ｆｉ装置の周囲の第２のＷｉ−Ｆｉ装置によりブロードキャストされたビーコン（Ｂｅａｃｏｎ）パケット又はプローブレスポンス（Ｐｒｏｂｅ  Ｒｅｓｐｏｎｓｅ）パケットは、第１のＷｉ−Ｆｉ装置によってリッスンされてもよい。第１のＷｉ−Ｆｉ装置の周囲の第２のＷｉ−Ｆｉ装置の位置及び距離は限定されず、第２のＷｉ−Ｆｉ装置によりブロードキャストされたパケットが第１のＷｉ−Ｆｉ装置により受信可能である限り、第２のＷｉ−Ｆｉ装置は、第１のＷｉ−Ｆｉ装置のリッスン範囲内にある。任意的には、Ｗｉ−Ｆｉ装置によりブロードキャストされたビーコン（Ｂｅａｃｏｎ）パケット又はプローブレスポンス（Ｐｒｏｂｅ  Ｒｅｓｐｏｎｓｅ）パケットはまた、Ｗｉ−Ｆｉ装置以外の装置によりリッスンされてもよい。当該装置は、第１Ｗｉ−Ｆｉ装置の周囲のＷｉ−Ｆｉ装置によりブロードキャストされたパケットをリッスンし、パケットを第１のＷｉ−Ｆｉ装置に送信してもよく、また、他のローカル位置にあるＷｉ−Ｆｉ装置によりブロードキャストされたパケットをリッスンし、パケットを第１のＷｉ−Ｆｉ装置に送信してもよい。第１のＷｉ−Ｆｉ装置は、ホットスポット装置であってもよいし、又はホットスポット機能を有さないＷｉ−Ｆｉ装置であってもよい。
【００４４】
第１のＷｉ−Ｆｉ装置が第２のＷｉ−Ｆｉ装置によりブロードキャストされた少なくとも１つのパケットを取得する回数は、少なくとも１である。
【００４５】
チャネル情報は、カントリコード、カントリコードに対応するチャネルリスト及び各チャネルの最大送信電力などの情報を有する。
【００４６】
任意的には、本発明の本実施例における第１のＷｉ−Ｆｉ装置は、第１のＷｉ−Ｆｉ装置のＵＩＭ／ＳＩＭカード挿入、ローミング、初期使用及び電源オンを検出することによって、又は時間を設定することによってステップＳ１又はＳ２を起動してもよいし、又は、ユーザはまたステップＳ１又はＳ２を起動するため、Ｗｉ−Ｆｉ装置のパラメータを設定してもよい。本発明の本実施例では、起動条件は限定されない。
【００４７】
本実施例では、ＵＩＭ／ＳＩＭカード挿入が、ステップＳ１を起動する実行処理を詳細に説明するため具体例として利用されるが、本発明の本実施例はこれに限定されるものでない。
【００４８】
ＵＩＭ／ＳＩＭカードが第１のＷｉ−Ｆｉ装置に挿入されると、図３に示されるステップが含まれる。
【００４９】
Ｓ３１．第１のＷｉ−Ｆｉ装置が、ＵＩＭ／ＳＩＭカード挿入信号を受信する。
【００５０】
Ｓ３２．第１のＷｉ−Ｆｉ装置が、挿入信号に従ってアップデート信号を生成する。
【００５１】
Ｓ３３．第１のＷｉ−Ｆｉ装置が、アップデート信号に従って、第２のＷｉ−Ｆｉ装置によりブロードキャストされた少なくとも１つのパケットを取得する。
【００５２】
具体的には、第１のＷｉ−Ｆｉ装置は、全てのパケットのチャネル情報を取得してもよく、また全てのパケットの一部のパケットのチャネル情報を取得してもよい。
【００５３】
例えば、テーブル１に示されるように、第１のＷｉ−Ｆｉ装置は日本でパケットを取得し、テーブル１に示されるパケットのチャネル情報は典型的な情報の一部のみリストする。
【００５４】
【表１】
2016524869.tif 000003
本発明の本実施例では、第１のＷｉ−Ｆｉ装置により取得されるパケットのチャネル情報は、第２のＷｉ−Ｆｉ装置が設定された閾値回数リッスンされた後に取得されてもよく、また第２のＷｉ−Ｆｉ装置によりブロードキャストされたパケットが各回にリッスンされた後に取得されてもよい。
【００５５】
Ｓ２．第１のＷｉ−Ｆｉ装置が、少なくとも１つのパケットのチャネル情報に従ってターゲットチャネル情報を決定する。
【００５６】
具体的には、チャネル情報はチャネルリストを有し、少なくとも１つのパケットは複数のパケットを有し、少なくとも１つのパケットのチャネル情報に従ってターゲットチャネル情報を決定することは、複数のパケットの複数のチャネルリストを取得し、複数のチャネルリストに従ってターゲットチャネルリストを決定し、ターゲットチャネルリストをターゲットチャネル情報として使用することを有するか、又は、少なくとも１つのパケットは１つのパケットを有し、チャネル情報はチャネルリストを有し、少なくとも１つのパケットのチャネル情報に従ってターゲットチャネル情報を決定することは、１つのパケットのチャネルリストを取得し、取得したチャネルリストをターゲットチャネル情報として使用することを有する。
【００５７】
図４は、第１のＷｉ−Ｆｉ装置がターゲットチャネルリストを決定するフローチャートである。
【００５８】
第１のＷｉ−Ｆｉ装置が複数のチャネルリストに従ってターゲットチャネルリストを決定することは以下を有する。
【００５９】
Ｓ４１．第１のＷｉ−Ｆｉ装置が、複数のチャネルリストのチャネルを比較する。
【００６０】
Ｓ４２．同一のチャネルを有するチャネルリストの数をカウントする。
【００６１】
Ｓ４３．当該数が第１の設定値に達すると、同一のチャネルを有するチャネルリストがターゲットチャネルリストであると判断する。
【００６２】
任意的には又は更に、第１のＷｉ−Ｆｉ装置が当該数が第１の設定値に達していないと判断した場合、ターゲットチャネルリストの精度を向上させるため、第１のＷｉ−Ｆｉ装置は、同一のチャネルを有するチャネルリストの数が第１の設定値に達するまで、継続的に新たなパケットのチャネル情報を取得するためリッスンを実行し、判断を実行してもよい。
【００６３】
任意的には又は更に、第１の閾値は、パケットを取得するための回数について設定されてもよい。
【００６４】
パケットを取得するための回数が第１の閾値に達し、同一のチャネルを有するチャネルリストの数が第１の設定値に達しないとき、第１のＷｉ−Ｆｉ装置はターゲットチャネルリストを決定できないと考えられ、第１のＷｉ−Ｆｉ装置は、ターゲットチャネルリストに従ってＷｉ−Ｆｉネットワークにアクセスできず、第１のＷｉ−Ｆｉ装置は、ネットワークがアクセス不可であるか、又はホットスポットサービスが提供不可であるとユーザに促してもよい。
【００６５】
例えば、第１のＷｉ−Ｆｉ装置により実行されるリッスンの回数の第１の閾値が３であり、周囲の１０個の第２のＷｉ−Ｆｉ装置によりブロードキャストされるパケットが１回目にリッスンされた具体例では、第１のＷｉ−Ｆｉ装置は、１０個の第２のＷｉ−Ｆｉ装置によりブロードキャストされたパケットにおいて、同一のチャネルを有するチャネルリストの数が第１の設定値に達していない場合、例えば、第１の設定値が８である場合、２回目のリッスンが実行され、２回目のリッスンにおいて同一のチャネルを有するチャネルリストの数が第１の設定値に達しているか判断される。否である場合、リッスンが継続される。リッスンの回数が３回で第２の設定値に達した後、３回目のリッスンにおいて同一のチャネルを有するチャネルリストの数が依然として第１の設定値に達していない場合、リッスンアクションは停止され、チャネルリストが取得不可であるか、又はネットワークがアクセス不可であることがユーザに促される。
【００６６】
第１のＷｉ−Ｆｉ装置は、ターゲットチャネルリストに従って、第１のＷｉ−Ｆｉ装置により予め記憶されたチャネルリストを更新してもよく、これにより、第１のＷｉ−Ｆｉ装置は、ターゲットチャネルリストに従ってＷｉ−Ｆｉネットワークアクセスを実行することと、ホットスポットサービスを提供することの少なくとも一方を実現し、各回に上記のステップＳ１及びＳ２を繰り返し実行する必要はない。
【００６７】
任意的には、第１のＷｉ−Ｆｉ装置は更に、ターゲットカントリコードとターゲットチャネルリストとの双方を決定し、ターゲットカントリコード及びターゲットチャネルリストに従って予め記憶されたチャネル情報リストを更新してもよい。予め記憶されたチャネル情報リストは、予め記憶されたカントリコードと予め記憶されたチャネルリストとの間の一対一の対応関係を有する。
【００６８】
具体的には、ターゲットカントリコード及びターゲットチャネルリストに従って予め記憶されたチャネル情報リストを更新することは、予め記憶されたチャネル情報リストにおけるターゲットカントリコードに対応する予め記憶されたチャネルリストを検索し、更にターゲットチャネルリストに従って予め記憶されたチャネルリストを更新することを有する。
【００６９】
予め記憶されたチャネル情報リストは、第１のＷｉ−Ｆｉ装置が工場から発送される前に、デバイスメーカー又はオペレータによって第１のＷｉ−Ｆｉ装置に予め記憶される。予め記憶されたチャネル情報リストは、第１のＷｉ−Ｆｉ装置が工場から発送される前に、各国の予め記憶されたカントリコードと予め記憶されたチャネルリストとの間の一対一の対応関係を有するか、又は、予め記憶されたチャネル情報リストは、第１のＷｉ−Ｆｉ装置が利用される場所のカントリコードとチャネルリストとの間の単なる対応関係である。予め記憶されたチャネル情報リストは更に、各チャネルによって許可された最大送信電力、予め記憶された各カントリコードに対応する干渉チャネルのレコードなどを有してもよい。
【００７０】
任意的には、チャネル情報はカントリコードを有し、少なくとも１つのパケットは複数のパケットを有し、第１のＷｉ−Ｆｉ装置が少なくとも１つのパケットのチャネル情報に従ってターゲットチャネル情報を決定することは、複数のパケットの複数のカントリコードを取得し、複数のカントリコードに従ってターゲットカントリコードを決定し、ターゲットカントリコードをターゲットチャネル情報として使用することを有するか、又は、少なくとも１つのパケットは１つのパケットを有し、チャネル情報はカントリコードを有し、少なくとも１つのパケットのチャネル情報に従ってターゲットチャネル情報を決定することは、パケットのカントリコードを取得し、取得したカントリコードをターゲットチャネル情報として使用することを有する。
【００７１】
図５は、第１のＷｉ−Ｆｉ装置がターゲットカントリコードを決定するフローチャートである。
【００７２】
Ｓ５１．第１のＷｉ−Ｆｉ装置が、複数のカントリコードを比較する。
【００７３】
Ｓ５２．同一のカントリコードの数をカウントする。
【００７４】
Ｓ５３．当該数が第２の設定値に達すると、同一のカントリコードがターゲットカントリコードであると判断する。
【００７５】
Ｓ３．第１のＷｉ−Ｆｉ装置が、ターゲットチャネル情報に従ってＷｉ−Ｆｉネットワークアクセスを実行するか、又はユーザ装置のためのホットスポットサービスを提供する。
【００７６】
ターゲットチャネル情報がターゲットチャネルリストであるとき、Ｗｉ−Ｆｉ装置は、ターゲットチャネルリストに従って、Ｗｉ−Ｆｉネットワークアクセスを実行することと、ホットスポットサービスを提供することの少なくとも一方を実現してもよい。
【００７７】
任意的には、ターゲットチャネル情報がターゲットカントリコードであるとき、第１のＷｉ−Ｆｉ装置がターゲットチャネル情報に従ってＷｉ−Ｆｉネットワークアクセスを実行するか、又はユーザ装置のためのホットスポットサービスを提供するステップが、図６に示される。
【００７８】
Ｓ６１．第１のＷｉ−Ｆｉ装置が、ターゲットチャネル情報に従って、予め記憶されたチャネル情報リストにおけるターゲットチャネル情報に対応する予め記憶されたチャネルリストを検索する。
【００７９】
第１のＷｉ−Ｆｉ装置が、ターゲットカントリコードに従って、予め記憶されたチャネル情報リストにおけるターゲットカントリコードに対応する予め記憶されたチャネルリストを検索してもよい。
【００８０】
Ｓ６２．第１のＷｉ−Ｆｉ装置が、ターゲットカントリコードに対応する予め記憶されたチャネルリストに従って、Ｗｉ−Ｆｉネットワークアクセスを実行することと、ホットスポットサービスを提供することとの少なくとも一方を実現する。
【００８１】
本発明の本実施例において提供されるＷｉ−Ｆｉネットワーク接続方法によると、第１のＷｉ−Ｆｉ装置の周囲の第２のＷｉ−Ｆｉ装置によりブロードキャストされた取得されたパケットに従って、第１のＷｉ−Ｆｉ装置は、Ｗｉ−Ｆｉネットワークアクセスを適切に実行することと、ホットスポットサービスを提供することとの少なくとも一方を実現できる。
【００８２】
図７は、本発明の他の実施例によるＷｉ−Ｆｉネットワークを利用するため第１のＷｉ−Ｆｉ装置により用いられる方法のフローチャートである。本実施例は、上記の実施例に基づく更なる拡張である。本実施例では、予め記憶されたチャネル情報リストは、予め記憶されたカントリコードと予め記憶された干渉チャネルとの間の第１の対応関係、予め記憶されたカントリコードと予め記憶されたチャネルリストとの間の第２の対応関係などを有し、ここで、第２の対応関係は少なくとも１つの一対一の対応関係である。第１の対応関係及び第２の対応関係によると、第１のＷｉ−Ｆｉ装置は、干渉のないチャネルを利用することによって、ネットワークアクセスを実行するか、又はホットスポットサービスを提供してもよい。
【００８３】
上記の実施例では、第１のＷｉ−Ｆｉ装置がターゲットチャネル情報に従ってＷｉ−Ｆｉネットワークアクセスを実行するか、又はユーザ装置のためのホットスポットサービスを提供するステップＳ３の前に、以下のステップが更に含まれてもよい。
【００８４】
Ｓ７１．第１のＷｉ−Ｆｉ装置が、ターゲットチャネル情報及び第１の対応関係に従って、ターゲットチャネル情報に対応する干渉チャネルを決定する。
【００８５】
Ｓ７２．第１のＷｉ−Ｆｉ装置が干渉処理機能をサポートしていると第１のＷｉ−Ｆｉ装置が判断した場合、予め記憶されたチャネルリストの何れかのチャネル又はチャネル情報の取得されたチャネルリストを用いることによって、Ｗｉ−Ｆｉネットワークアクセスを実行するか、又はユーザ装置のためのホットスポットサービスを提供する。
【００８６】
Ｓ７３．第１のＷｉ−Ｆｉ装置が干渉処理機能をサポートしないと第１のＷｉ−Ｆｉ装置が判断した場合、チャネル情報の予め記憶されたチャネルリスト又は取得されたチャネルリストの干渉のないチャネルを用いることによって、Ｗｉ−Ｆｉネットワークアクセスを実行するか、又はユーザ装置のためのホットスポットサービスを提供し、ここで、干渉処理機能は、動的周波数選択（Ｄｙｎａｍｉｃ  Ｆｒｅｑｕｅｎｃｙ  Ｓｅｌｅｃｔｉｏｎ、略してＤＦＳ）機能又は送信電力制御（Ｔｒａｎｓｍｉｔｔｅｒ  Ｐｏｗｅｒ  Ｃｏｎｔｒｏｌ、略してＴＰＣ）機能を有する。
【００８７】
おそらく、第１のＷｉ−Ｆｉ装置によりサポートされる干渉処理機能は更に、実際の状況に従って他のファンクション機能を有してもよく、本発明の本実施例は上記の２つのアイテムに限定されるものでない。
【００８８】
例えば、Ｗｉ−Ｆｉ装置が動作するために日本にローミングするとき、Ｗｉ−Ｆｉ装置により取得される３つのＷｉ−Ｆｉ装置のチャネル情報では、カントリコードは全て日本のものであり、各チャネルリストはＷ５２、Ｗ５３及びＷ５６である（図８に示される）。
【００８９】
Ｗｉ−Ｆｉ装置がチャネル情報を取得する回数が１である例では、本実施例においてＷｉ−Ｆｉ装置により取得される３つのチャネル情報において、カントリコードは全て日本のものであり、チャネルリストは全てＷ５２、Ｗ５３及びＷ５６であり、従って、上記の取得されたカントリコード及びチャネルリストはターゲットカントリコード及びターゲットチャネルリストであると判断されてもよい。
【００９０】
Ｗｉ−Ｆｉ装置は、第１の対応関係に従ってチャネルＷ５３及びＷ５６が干渉を受ける可能性があると判断し、従って、Ｗｉ−Ｆｉ装置はＴＰＣ及びＤＦＳ機能をサポートする必要がある。Ｗｉ−Ｆｉ装置がＴＰＣ及びＤＦＳ機能をサポートする場合、チャネルＷ５２、Ｗ５３及びＷ５６がＷｉ−Ｆｉ装置のために利用可能なチャネルであり、Ｗｉ−Ｆｉ装置は、チャネルＷ５２、Ｗ５３及びＷ５６を利用することによってＷｉ−Ｆｉネットワークアクセスを実行してもよい。Ｗｉ−Ｆｉ装置はまず、チャネルＷ５２、Ｗ５３及びＷ５６を含むように、予め記憶されたチャネル情報リストのチャネルリストを更新してもよい。第１のＷｉ−Ｆｉ装置がＴＰＣ及びＤＦＳ機能をサポートしていない場合、チャネルＷ５２がＷｉ−Ｆｉ装置のために利用可能なチャネルとして選択され、チャネルＷ５３及びＷ５６が、Ｗｉ−Ｆｉ装置のために利用不可であるチャネルとして定義される。従って、Ｗｉ−Ｆｉ装置により設定されるチャネルリストは、チャネルＷ５２のみを含むように更新される。これは、通信を実行するためＷｉ−Ｆｉ装置により利用されるチャネルがローカル通信要件を充たし、レーダに対する影響を防ぐことを保証できる。
【００９１】
任意的には、第１のＷｉ−Ｆｉ装置が、ターゲットチャネル情報に従ってＷｉ−Ｆｉネットワークアクセスを実行するか、又はユーザ装置のためのホットスポットサービスを提供した後に、当該方法は更に、
第１のＷｉ−Ｆｉ装置が、現在使用されているＷｉ−Ｆｉネットワークチャネルが干渉を受けていると判断し、第１のＷｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供することを有してもよい。
【００９２】
Ｗｉ−Ｆｉ装置により現在使用されているＷｉ−Ｆｉネットワークチャネルが５ＧＨｚ周波数帯の範囲内にある場合、いくつかのチャネル及びレーダ上で周波数帯の再利用の状況が存在し、レーダ信号に対する干渉を生成する。第１のＷｉ−Ｆｉ装置が、干渉信号が存在することを検出するか、又はネットワークホットスポットにより送信された干渉命令を受信した場合、現在使用されているチャネルは干渉を受けていると判断される。
【００９３】
任意的には、第１のＷｉ−Ｆｉ装置が、ターゲットチャネル情報に従ってＷｉ−Ｆｉネットワークアクセスを実行するか、又はユーザ装置のためのホットスポットサービスを提供した後に、当該方法は更に、
第１のＷｉ−Ｆｉ装置が、現在使用されているＷｉ−Ｆｉネットワークチャネルが干渉を受けていると判断し、第１のＷｉ−Ｆｉ装置が送信電力制御ＴＰＣ機能をサポートしていると判断した場合、第１のＷｉ−Ｆｉ装置の送信電力を低下することを有する。
【００９４】
任意的には、第１のＷｉ−Ｆｉ装置が、ターゲットチャネル情報に従ってＷｉ−Ｆｉネットワークアクセスを実行するか、又はユーザ装置のためのホットスポットサービスを提供した後に、当該方法は更に、
第１のＷｉ−Ｆｉ装置が、現在使用されているＷｉ−Ｆｉネットワークチャネルが干渉を受けていると判断し、第１のＷｉ−Ｆｉ装置が干渉処理機能をサポートしていないと判断した場合、チャネルを手動により設定するか、又はＷｉ−Ｆｉネットワークを切断するようユーザを促すことを有し、ここで、干渉処理機能は、動的周波数選択ＤＦＳ機能又は送信電力制御ＴＰＣ機能を有する。
【００９５】
Ｗｉ−Ｆｉ装置により現在使用されているＷｉ−Ｆｉネットワークチャネルが５ＧＨｚ周波数帯の範囲内にある場合、いくつかのチャネル及びレーダ上で周波数帯の再利用の状況が存在し、レーダ信号に対する干渉を生成する。第１のＷｉ−Ｆｉ装置が、干渉信号が存在することを検出するか、又はネットワークホットスポットにより送信された干渉命令を受信した場合、現在使用されているチャネルは干渉を受けていると判断される。
【００９６】
具体的には、第１のＷｉ−Ｆｉ装置が、現在使用されているＷｉ−Ｆｉネットワークチャネルが干渉を受けていると判断し、Ｗｉ−Ｆｉ装置が干渉処理機能をサポートしていないと判断した場合、レーダ信号が干渉を受けず、干渉チャネルを記録することを保証するため、現在のＷｉ−Ｆｉネットワークが切断されてもよい。Ｗｉ−Ｆｉ装置は、チャネルリストにおける干渉のないチャネルを利用することによって、Ｗｉ−Ｆｉネットワークアクセスを実行することと、ホットスポットサービスを再び提供することとの少なくとも一方を自動的に実現してもよい。任意的には、ユーザは、手動の選択により取得されるチャネルリストにおける干渉のないチャネルを利用することによって、Ｗｉ−Ｆｉネットワークアクセスを実行することと、ホットスポットサービスを再び提供することとの少なくとも一方を実現してもよい。
【００９７】
任意的には、Ｗｉ−Ｆｉ装置が、現在使用されているＷｉ−Ｆｉネットワークチャネルが干渉を受けていると判断し、Ｗｉ−Ｆｉ装置が干渉処理機能をサポートしていないと判断した場合、ユーザは更に、干渉のないチャネルにスイッチするため、干渉のないチャネルを手動により選択するよう促されてもよい。このようにして、ユーザはネットワークを切断するよう強制されないため、ユーザ体感は影響を受けない。干渉のないチャネルを手動により選択するようユーザを促すステップは、現在のチャネルが干渉を受けていることを示すプロンプトメッセージを表示し、干渉を受けず、ユーザにより手動により選択可能なチャネルリストを表示することを有してもよい。本実施例における促しの方式は、単なる一例となる説明であり、促しの方式の保護範囲は限定されない。本発明の本実施例の方策に適用される他のユーザ促し方法はまた、本発明の本実施例の保護範囲内に属する。
【００９８】
Ｗｉ−Ｆｉ装置がＷｉ−Ｆｉ装置のＳＴＡサイドでチャネルリストを更新してもよく、Ｗｉ−Ｆｉ装置のＡＰサイドのチャネルリストとＳＴＡサイドのチャネルリストとは同期的に更新されてもよいことが理解されてもよい。
【００９９】
本発明の本実施例において提供されるＷｉ−Ｆｉネットワーク接続方法によると、Ｗｉ−Ｆｉ装置の現在のチャネルが干渉を受けていると検出されると、Ｗｉ−Ｆｉ装置は、他のチャネルにスイッチし、これにより、レーダ信号に対する干渉及びローカルな通信法律の違反を防ぐ。
【０１００】
実施例２
図９は、本発明の実施例によるＷｉ−Ｆｉコントローラのアーキテクチャの概略図である。
【０１０１】
本発明の本実施例はＷｉ−Ｆｉコントローラを提供し、ここで、Ｗｉ−Ｆｉコントローラは上記のＷｉ−Ｆｉネットワーク接続方法に適用され、Ｗｉ−Ｆｉ装置に配置されてもよい。Ｗｉ−Ｆｉコントローラは、実施例１における少なくともＷｉ−Ｆｉネットワーク接続方法を実現可能である。Ｗｉ−ＦｉコントローラはＷｉ−Ｆｉ制御モジュール１１を有し、ここで、Ｗｉ−Ｆｉ制御モジュールは、第２のＷｉ−Ｆｉ装置によりブロードキャストされた少なくとも１つのパケットを取得するようＷｉ−Ｆｉチップを制御するよう構成され、ここで、各パケットはチャネル情報を有し、Ｗｉ−Ｆｉ制御モジュール１１は、少なくとも１つのパケットのチャネル情報に従ってターゲットチャネル情報を決定し、Ｗｉ−Ｆｉ制御モジュール１１は、ターゲットチャネル情報に従って、Ｗｉ−Ｆｉネットワークアクセスを実行するか、又はユーザ装置のためのホットスポットサービスを提供するようＷｉ−Ｆｉチップを制御する。
【０１０２】
本発明の本実施例において提供されるＷｉ−Ｆｉコントローラによると、周囲の第２のＷｉ−Ｆｉ装置によりブロードキャストされたパケットが取得され、ローカルチャネル情報が取得され、これにより、Ｗｉ−Ｆｉコントローラが、チャネル情報に従ってＷｉ−Ｆｉネットワークアクセスを適切に実行することと、ホットスポットサービスを提供することとの少なくとも一方を実現する。
【０１０３】
具体的には、Ｗｉ−Ｆｉ制御モジュール１１は更に、リッスン制御モジュール１１１を有してもよく、ここで、リッスン制御モジュール１１１は、Ｗｉ−Ｆｉ装置の周囲の第２のＷｉ−Ｆｉ装置によりブロードキャストされるビーコン（Ｂｅａｃｏｎ）パケット又はプローブレスポンス（Ｐｒｏｂｅ  Ｒｅｓｐｏｎｓｅ）パケットをリッスンするようＷｉ−Ｆｉチップを制御可能である。Ｗｉ−Ｆｉ装置の周囲の第２のＷｉ−Ｆｉ装置の位置及び距離は限定されず、第２のＷｉ−Ｆｉ装置によりブロードキャストされたパケットがＷｉ−Ｆｉコントローラにより受信可能である限り、第２のＷｉ−Ｆｉ装置はＷｉ−Ｆｉコントローラのリッスン範囲内にある。
【０１０４】
任意的には、Ｗｉ−Ｆｉ制御モジュール１１は更に、受信制御モジュール１１２を有してもよく、ここで、受信制御モジュール１１２は、Ｗｉ−Ｆｉ装置以外の他の装置によりリッスンされるビーコン（Ｂｅａｃｏｎ）パケット又はプローブレスポンス（Ｐｒｏｂｅ  Ｒｅｓｐｏｎｓｅ）パケットを受信するようＷｉ−Ｆｉチップ又は無線周波数コンポーネントを制御可能である。
【０１０５】
Ｗｉ−Ｆｉ制御モジュール１１は、少なくとも１つのＷｉ−Ｆｉ装置によりブロードキャストされた少なくとも１つのパケットを取得し、少なくとも１つのＷｉ−Ｆｉ装置によりブロードキャストされたパケットを取得する回数は少なくとも１である。
【０１０６】
本発明の本実施例におけるＷｉ−Ｆｉ制御モジュール１１は、検出モジュール１１４を有してもよく、検出モジュール１１４は、Ｗｉ−Ｆｉ装置のＵＩＭ／ＳＩＭカード挿入、ローミング、初期使用、電源オン又は時間設定を検出したとき、又は、ユーザがＷｉ−Ｆｉ装置のパラメータを設定していることを検出したとき、Ｗｉ−Ｆｉ装置によりブロードキャストされたパケットを取得する機能を有効にする。
【０１０７】
本実施例では、ＵＩＭ／ＳＩＭカードは具体例として用いられる。検出モジュール１１４が、ＵＩＭ／ＳＩＭカードがＷｉ−Ｆｉ装置に挿入されたことを検出すると、検出モジュール１１４は、ユーザがＵＩＭ／ＳＩＭカードを挿入したことを示す挿入信号を検出し、挿入信号に従ってアップデートメッセージをリッスン制御モジュール１１１に発信し、ここで、アップデートメッセージは、ローカルＷｉ−Ｆｉ装置によりブロードキャストされたパケットを取得するようリッスン制御モジュール１１１に命令するのに利用される。
【０１０８】
リッスン制御モジュール１１１は、全てのリッスンされたパケットの制御情報を取得してもよく、また全てのパケットの一部のパケットのチャネル情報を取得してもよい。チャネル情報は、カントリコード、カントリコードに対応するチャネルリスト及び各チャネルの最大送信電力などの情報を含む。
【０１０９】
Ｗｉ−Ｆｉ制御モジュール１１が、チャネル情報のチャネルリストに従って、Ｗｉ−Ｆｉネットワークアクセスを実行することと、ホットスポットサービスを提供することとの少なくとも一方を実現してもよいことが理解されてもよい。
【０１１０】
Ｗｉ−Ｆｉ制御モジュール１１は、チャネル情報の取得した１つのチャネルリストに従って、Ｗｉ−Ｆｉネットワークアクセスを実行することと、ホットスポットサービスを提供することとの少なくとも一方を実現するようＷｉ−Ｆｉチップを直接制御してもよい。Ｗｉ−Ｆｉ制御モジュール１１はまた、チャネル情報の取得した複数のチャネルリストに従ってターゲットチャネルリストを決定し、ターゲットチャネルリストに従って、Ｗｉ−Ｆｉネットワークアクセスを実行することと、ホットスポットサービスを提供することとの少なくとも一方を実現するようＷｉ−Ｆｉチップを制御してもよい。
【０１１１】
具体的には、チャネル情報はチャネルリストを有し、少なくとも１つのパケットは複数のパケットを有し、
Ｗｉ−Ｆｉ制御モジュールが少なくとも１つのパケットのチャネル情報に従ってターゲットチャネル情報を決定することは、Ｗｉ−Ｆｉ制御モジュール１１が、複数のパケットの複数のチャネルリストを取得し、複数のチャネルリストに従ってターゲットチャネルリストを決定し、ターゲットチャネルリストをターゲットチャネル情報として使用することを有するか、
又は、
少なくとも１つのパケットは１つのパケットを有し、チャネル情報はチャネルリストを有し、
Ｗｉ−Ｆｉ制御モジュールが少なくとも１つのパケットのチャネル情報に従ってターゲットチャネル情報を決定することは、Ｗｉ−Ｆｉ制御モジュールが、１つのパケットのチャネルリストを取得し、取得したチャネルリストをターゲットチャネル情報として使用することを有する。
【０１１２】
Ｗｉ−Ｆｉ制御モジュールが複数のチャネルリストに従ってターゲットチャネルリストを決定することは、Ｗｉ−Ｆｉ制御モジュールが、複数のチャネルリストのチャネルを比較し、同一のチャネルを有するチャネルリストの数をカウントし、当該数が第１の設定値に達すると、同一のチャネルを有するチャネルリストがターゲットチャネルリストであると判断することを有する。当該数が第１の設定値に達していないと判断された場合、ターゲットチャネルリストの精度を向上させるため、Ｗｉ−Ｆｉ制御モジュール１３は、複数回第２のＷｉ−Ｆｉ装置のチャネル情報を繰り返し取得してもよく、Ｗｉ−Ｆｉ制御モジュール１１は、複数回取得された第２のＷｉ−Ｆｉ装置の少なくとも１つのチャネルリストに従ってターゲットチャネルリストを決定する。
【０１１３】
任意的には又は更に、閾値は、Ｗｉ−Ｆｉ制御モジュール１１が第２のＷｉ−Ｆｉ装置のチャネル情報を取得した回数について設定されてもよい。当該取得回数が設定された閾値に達し、Ｗｉ−Ｆｉ制御モジュール１１が、同一のチャネルを有するチャネルリストの数が第１の設定値に達していないと判断すると、Ｗｉ−Ｆｉコントローラはターゲットチャネルリストを決定できず、ターゲットチャネルリストに従ってネットワークアクセスできないと考えられ、Ｗｉ−Ｆｉ制御モジュール１１は、ネットワークがアクセス不可であるか、又はホットスポットサービスが提供不可であることをユーザに促してもよい。
【０１１４】
任意的には又は更に、Ｗｉ−Ｆｉ制御モジュール１１は、チャネル情報のカントリコード及び予め記憶されたチャネル情報リストに従って、Ｗｉ−Ｆｉネットワークアクセスを実行することと、ホットスポットサービスを提供することとの少なくとも一方を実現するようＷｉ−Ｆｉチップを制御してもよい。予め記憶されたチャネル情報リストは、Ｗｉ−Ｆｉ装置が工場から発送される前に、デバイスメーカー又はオペレータによってＷｉ−Ｆｉ装置に予め記憶され、ここで、Ｗｉ−ＦｉコントローラはＷｉ−Ｆｉ装置に配置される。予め記憶されたチャネル情報リストは、Ｗｉ−Ｆｉ装置が工場から発送される前に、各国のカントリコードとチャネルリストとの間の一対一の対応関係を有するか、又は、予め記憶されたチャネル情報リストは、Ｗｉ−Ｆｉ装置が使用される位置のカントリコードとチャネルリストとの間の単なる対応関係である。予め記憶されたチャネル情報リストは更に、各チャネルにより許可される最大送信電力、各国の干渉チャネルのレコードなどを有してもよい。ターゲットチャネル情報がターゲットカントリコードであるとき、Ｗｉ−Ｆｉ制御モジュール１１がターゲットチャネル情報に従って、Ｗｉ−Ｆｉネットワークアクセスを実行することと、ホットスポットサービスを提供することとの少なくとも一方を実現するようＷｉ−Ｆｉチップを制御することは、
Ｗｉ−Ｆｉ制御モジュール１１が、ターゲットチャネル情報に従って、予め記憶されたチャネル情報リストにおけるターゲットチャネル情報に対応する予め記憶されたチャネルリストを検索し、Ｗｉ−Ｆｉ制御モジュール１１が、ターゲットチャネル情報に対応する予め記憶されたチャネルリストに従って、Ｗｉ−Ｆｉネットワークアクセスを実行するか、又はユーザ装置のためのホットスポットサービスを提供するようＷｉ−Ｆｉチップを制御することを有する。
【０１１５】
Ｗｉ−Ｆｉ制御モジュール１１は、チャネル情報の１つのカントリコードに従って、予め記憶されたチャネル情報リストにおけるカントリコードに対応するターゲットチャネルリストを検索してもよい。Ｗｉ−Ｆｉ制御モジュール１１は更に、チャネル情報の複数のカントリコードに従ってターゲットカントリコードを決定し、予め記憶されたチャネル情報リストにおけるターゲットカントリコードに対応するターゲットチャネルリストを検索してもよい。Ｗｉ−Ｆｉ制御モジュール１１は、ターゲットチャネルリストに従って、Ｗｉ−Ｆｉネットワークアクセスを実行することと、ホットスポットサービスを提供することとの少なくとも一方を実現するようＷｉ−Ｆｉチップを制御する。
【０１１６】
Ｗｉ−Ｆｉ制御モジュール１１がターゲットカントリコードを決定する方法は、Ｗｉ−Ｆｉ制御モジュール１１が上記の実施例においてチャネル情報の複数のチャネルリストに従ってターゲットチャネルリストを決定する方法と同様であることが理解されてもよく、詳細はここでは再説明されない。
【０１１７】
任意的には又は更に、Ｗｉ−Ｆｉ制御モジュール１１がＷｉ−Ｆｉネットワークアクセスを実行するか、又はユーザ装置のためのホットスポットサービスを提供するようＷｉ−Ｆｉチップを制御する前に、当該方法は更に、
Ｗｉ−Ｆｉ制御モジュール１１が、ターゲットチャネル情報及び第１の対応関係に従って、ターゲットチャネル情報に対応する干渉チャネルを決定し、
Ｗｉ−Ｆｉ制御モジュールが干渉処理機能をサポートしているとＷｉ−Ｆｉ制御モジュール１１が判断した場合、予め記憶されたチャネルリストの何れかのチャネル又はチャネル情報の取得されたチャネルリストを用いることによって、Ｗｉ−Ｆｉネットワークアクセスを実行するか、又はユーザ装置のためのホットスポットサービスを提供するか、又は、
Ｗｉ−Ｆｉ制御モジュールが干渉処理機能をサポートしないとＷｉ−Ｆｉ制御モジュール１１が判断した場合、チャネル情報の予め記憶されたチャネルリスト又は取得されたチャネルリストの干渉のないチャネルを用いることによって、Ｗｉ−Ｆｉネットワークアクセスを実行するか、又はユーザ装置のためのホットスポットサービスを提供する、ことを有し、ここで、Ｗｉ−Ｆｉ装置によりサポートされる干渉処理機能は、動的周波数選択（Ｄｙｎａｍｉｃ  Ｆｒｅｑｕｅｎｃｙ  Ｓｅｌｅｃｔｉｏｎ、略してＤＦＳ）機能を有するか、又は送信電力制御（Ｔｒａｎｓｍｉｔ  Ｐｏｗｅｒ  Ｃｏｎｔｒｏｌ、略してＴＰＣ）機能をまた有してもよい。おそらく、Ｗｉ−Ｆｉ装置によりサポートされる干渉処理機能は更に、実際の状況に従って他のファンクション又は機能を有してもよく、本発明の本実施例は上記の２つのアイテムに限定されない。
【０１１８】
本発明の本実施例におけるＷｉ−Ｆｉ制御モジュール１１は更に、決定されたターゲットチャネルリストに従って、Ｗｉ−Ｆｉ装置により予め記憶されている予め記憶されたチャネルリストを更新してもよく、これにより、Ｗｉ−Ｆｉ装置は、ターゲットチャネルリストに従って、Ｗｉ−Ｆｉネットワークアクセスを実行することと、ホットスポットサービスを提供することとの少なくとも一方を繰り返し実現する。
【０１１９】
Ｗｉ−Ｆｉ制御モジュール１１はまた、決定されたターゲットカントリコード及びターゲットチャネルリストに従って、Ｗｉ−Ｆｉ装置により予め記憶されている予め記憶されたカントリコード及び予め記憶されたチャネルリストを更新してもよい。
【０１２０】
Ｗｉ−Ｆｉ制御モジュール１１はまた、Ｗｉ−Ｆｉ装置のＳＴＡサイドにおいてチャネルリストを更新してもよく、Ｗｉ−Ｆｉ装置のＡＰサイドにおけるチャネルリスト及びＳＴＡサイドにおけるチャネルリストがまた、同期的に更新されてもよい。
【０１２１】
任意的には又は更に、Ｗｉ−Ｆｉ制御モジュール１１は更に、アップデート成功メッセージに従って、アップデートが成功したことをユーザに促してもよい。アップデートが成功したことをユーザに促すことは、アップデート成功メッセージを表示するようディスプレイ画面を制御することであってもよく、ここで、アップデート成功メッセージは現在使用されているチャネルを含むものであってもよい。
【０１２２】
Ｗｉ−Ｆｉ制御モジュール１１は、アップデート失敗メッセージに従って、アップデートが失敗したことをユーザに促し、設定されたチャネルリストを用いて、ネットワークにアクセスすることと、ホットスポットサービスを提供することとの少なくとも一方を実現することを試みるようユーザを促す。
【０１２３】
任意的には又は更に、Ｗｉ−Ｆｉ制御モジュール１１は更に、現在使用されているＷｉ−Ｆｉネットワークチャネルが干渉を受けているか検出し、干渉が存在すると判断され、Ｗｉ−Ｆｉ装置が干渉処理機能をサポートしていると判断された場合、周波数ホッピング信号をＷｉ−Ｆｉチップに送信するよう構成されてもよく、これにより、Ｗｉ−Ｆｉチップは、干渉のないチャネルにスイッチし、Ｗｉ−Ｆｉネットワークアクセスを実行するか、又はユーザのためのネットワークを提供し、ここで、Ｗｉ−Ｆｉチップは、予め設定されたチャネルリストにおける干渉のないチャネルにスイッチしてもよく、また取得したチャネルリストにおける干渉のないチャネルにスイッチしてもよい。任意的には、Ｗｉ−Ｆｉ制御モジュールが、現在使用されているＷｉ−Ｆｉネットワークチャネルが干渉を受けていると判断し、Ｗｉ−Ｆｉ装置が送信電力制御ＴＰＣ機能をサポートしていると判断した場合、Ｗｉ−Ｆｉ装置の送信電力が低下される。
【０１２４】
Ｗｉ−Ｆｉ装置が干渉処理機能をサポートしていないとＷｉ−Ｆｉ制御モジュール１１が判断した場合、Ｗｉ−Ｆｉチップは、Ｗｉ−Ｆｉネットワークを切断し、干渉のないチャネルを再選択し、Ｗｉ−Ｆｉネットワークアクセスを実行することと、ユーザ装置のためのホットスポットサービスを提供することとの少なくとも一方を実現するか、又は、干渉のないチャネルを手動により選択するようユーザを促し、Ｗｉ−Ｆｉネットワークアクセスを実行することと、ユーザ装置のためのホットスポットサービスを提供することとの少なくとも一方を実現するよう制御される。具体的な促し方法について、方法の実施例の具体的な内容が参照されてもよい。
【０１２５】
Ｗｉ−Ｆｉ制御モジュールは干渉チャネルを記録してもよく、Ｗｉ−Ｆｉ装置が干渉処理機能をサポートしないとき、干渉チャネルが利用されず、これにより、Ｗｉ−Ｆｉ装置がレーダ信号に対する干渉を生成し、ローカルな通信法律に違反することを防ぐことが理解されてもよい。
【０１２６】
実施例３
図１０は、本発明の実施例によるＷｉ−Ｆｉ装置のハードウェアアーキテクチャの図である。
【０１２７】
本実施例におけるＷｉ−Ｆｉ装置１００は、実施例１におけるＷｉ−Ｆｉネットワーク接続方法に適用され、Ｗｉ−Ｆｉ装置１００は、上記の実施例１におけるＷｉ−Ｆｉネットワーク接続方法のファンクションを少なくとも実現してもよい。
【０１２８】
Ｗｉ−Ｆｉ装置１００は、ベースバンドチップ１０１、Ｗｉ−Ｆｉチップ１０３及び無線周波数コンポーネント１０２を有し、ここで、ベースバンドチップ１０１は、データバスを用いることによってＷｉ−Ｆｉチップ１０３及び無線周波数コンポーネント１０２に接続される。
【０１２９】
ベースバンドチップは、第２のＷｉ−Ｆｉ装置によりブロードキャストされた少なくとも１つのパケットを取得するようＷｉ−Ｆｉチップ１０１を制御し、ここで、各パケットはチャネル情報を有し、ベースバンドチップ１０１は、少なくとも１つのパケットのチャネル情報に従ってターゲットチャネル情報を決定し、ベースバンドチップは、ターゲットチャネル情報に従って、Ｗｉ−Ｆｉネットワークアクセスを実行するか、又はユーザ装置のためのホットスポットサービスを提供するようＷｉ−Ｆｉチップ１０３を制御する。
【０１３０】
本発明の本実施例において提供されるベースバンドチップによると、Ｗｉ−Ｆｉ装置１００の周囲のＷｉ−Ｆｉ装置によりブロードキャストされたパケットが取得され、ローカルチャネル情報が取得され、これにより、Ｗｉ−Ｆｉ装置１００は、チャネル情報に従ってＷｉ−Ｆｉネットワークアクセスを適切に実行することと、ホットスポットサービスを提供することとの少なくとも一方を実現する。
【０１３１】
具体的には、ベースバンドチップ１０１は更に、Ｗｉ−Ｆｉ装置１００の周囲のＷｉ−Ｆｉ装置によりブロードキャストされたビーコン（Ｂｅａｃｏｎ）パケット又はプローブレスポンス（Ｐｒｏｂｅ  Ｒｅｓｐｏｎｓｅ）パケットをリッスンするようＷｉ−Ｆｉチップを制御してもよい。Ｗｉ−Ｆｉ装置１００の周囲のＷｉ−Ｆｉ装置の位置及び距離は限定されず、Ｗｉ−Ｆｉ装置によりブロードキャストされたパケットがＷｉ−Ｆｉ装置１００により受信可能である限り、Ｗｉ−Ｆｉ装置は、Ｗｉ−Ｆｉ装置１００のリッスン範囲内にある。
【０１３２】
任意的には、ベースバンドチップ１０１は更に、Ｗｉ−Ｆｉ装置によりブロードキャストされ、Ｗｉ−Ｆｉ装置以外の他の装置によりリッスンされるビーコン（Ｂｅａｃｏｎ）パケット又はプローブレスポンス（Ｐｒｏｂｅ  Ｒｅｓｐｏｎｓｅ）パケットを受信するようＷｉ−Ｆｉチップ１０３又は無線周波数コンポーネント１０２を制御してもよい。第１のＷｉ−Ｆｉ装置はＷｉ−Ｆｉホットスポット装置であってもよく、またホットスポットファンクションを有さないＷｉ−Ｆｉ装置であってもよい。
【０１３３】
ベースバンドチップ１０１は、少なくとも１つのＷｉ−Ｆｉ装置によりブロードキャストされた少なくとも１つのパケットを取得するようＷｉ−Ｆｉチップ１０３を制御し、少なくとも１つのＷｉ−Ｆｉ装置によりブロードキャストされたパケットを取得する回数は少なくとも１である。
【０１３４】
本発明の本実施例におけるＷｉ−Ｆｉ装置のベースバンドチップ１０１は更に、Ｗｉ−Ｆｉ装置についてＵＩＭ／ＳＩＭカード１１１の挿入、ローミング、初期使用、電源オン又は時間設定を検出したとき、又はユーザがＷｉ−Ｆｉ装置のパラメータを設定したことを検出したとき、少なくとも１つのＷｉ−Ｆｉ装置によりブロードキャストされたパケットを取得するようＷｉ−Ｆｉチップ１０３を制御してもよい。
【０１３５】
本実施例では、ＵＩＭ／ＳＩＭカードの挿入が具体例として用いられる。ベースバンドチップ１０１は、ユーザがＵＩＭ／ＳＩＭカード１１１を挿入したことを示す挿入信号を受信し、挿入信号に従って、少なくとも１つのローカルなＷｉ−Ｆｉ装置によりブロードキャストされたパケットを取得するようＷｉ−Ｆｉチップを制御する。
【０１３６】
ベースバンドチップ１０１は、各パケットのチャネル情報を取得するため、各パケットを取得してもよく、またパケットの一部のパケットのチャネル情報を取得してもよい。チャネル情報は、カントリコード、カントリコードに対応するチャネルリスト及び各チャネルの最大送信電力などの情報を有する。
【０１３７】
ベースバンドチップ１０１は、チャネル情報のチャネルリストに従って、Ｗｉ−Ｆｉネットワークアクセスを実行することと、ホットスポットサービスを提供することとの少なくとも一方を実現してもよい。
【０１３８】
具体的には、ベースバンドチップ１０１は、チャネル情報の取得された１つのチャネルリストに従って、Ｗｉ−Ｆｉネットワークアクセスを実行することと、ホットスポットサービスを提供することとの少なくとも一方を実現するようＷｉ−Ｆｉチップ１０３を直接制御してもよい。Ｗｉ−Ｆｉ制御モジュール１１はまた、チャネル情報の取得された複数のチャネルリストに従ってターゲットチャネルリストを決定し、ターゲットチャネルリストに従って、Ｗｉ−Ｆｉネットワークアクセスを実行することと、ホットスポットサービスを提供することとの少なくとも一方を実現するようＷｉ−Ｆｉチップ１０３を制御してもよい。
【０１３９】
具体的には、チャネル情報の複数のチャネルリストが取得されると、ベースバンドチップ１０１は、取得したチャネルリストのチャネルを比較し、同一のチャネルを有するチャネルリストの数をカウントし、当該数が第１の設定値に達すると、同一のチャネルを有するチャネルリストがターゲットチャネルリストであると判断する。当該数が第１の設定値に達していないと判断された場合、ターゲットチャネルリストの精度を向上させるため、ベースバンドチップ１０１は、複数回第１のＷｉ−Ｆｉ装置のチャネル情報を繰り返し取得するようＷｉ−Ｆｉチップ１０３に命令してもよく、ベースバンドチップ１０１は、複数回取得された少なくとも１つのＷｉ−Ｆｉ装置のチャネルリストに従ってターゲットチャネルリストを決定する。
【０１４０】
任意的には又は更に、閾値は、Ｗｉ−Ｆｉチップ１０３が第１のＷｉ−Ｆｉ装置のチャネル情報を取得した回数について設定されてもよい。当該取得回数が設定された閾値に達し、ベースバンドチップ１０２は、同一のチャネルを有するチャネルリストの数が第１の設定値に達していないと判断すると、Ｗｉ−Ｆｉ装置はターゲットチャネルリストを決定できず、ターゲットチャネルリストに従ってネットワークにアクセスできないと考えられ、ベースバンドチップ１０１は、ネットワークがアクセス不可であるか、又はホットスポットサービスが提供不可であることをユーザに促すため、プロンプトメッセージを表示するようディスプレイ画面を制御してもよい。
【０１４１】
任意的には又は更に、ベースバンドチップ１０１は、チャネル情報のカントリコード及び予め記憶されたチャネル情報リストに従って、Ｗｉ−Ｆｉネットワークアクセスを実行することと、ホットスポットサービスを提供することとの少なくとも一方を実現するようＷｉ−Ｆｉチップ１０３を制御してもよい。予め記憶されたチャネル情報リストは、Ｗｉ−Ｆｉ装置が工場から発送される前に、デバイスメーカー又はオペレータによってＷｉ−Ｆｉ装置に予め記憶される。予め記憶されたチャネル情報リストは、Ｗｉ−Ｆｉ装置が工場から発送される前のチャネルリストと各国のカントリコードとの間の一対一の対応関係を有するか、又は、予め記憶されたチャネル情報リストは、Ｗｉ−Ｆｉ装置が使用される位置のカントリコードとチャネルリストとの間の単なる対応関係である。予め記憶されたチャネル情報リストは更に、各チャネルにより許可された最大送信電力、各国の干渉チャネルのレコードなどを有してもよい。
【０１４２】
具体的には、ベースバンドチップ１０１は、チャネル情報のカントリコードに従って、予め記憶されたチャネル情報リストにおけるカントリコードに対応するターゲットチャネルリストを検索する。
【０１４３】
ベースバンドチップ１０１は、チャネル情報の１つのカントリコードに従って、予め記憶されたチャネル情報リストにおけるカントリコードに対応するターゲットチャネルリストを検索してもよい。ベースバンドチップ１０１は更に、チャネル情報の複数のカントリコードに従ってターゲットカントリコードを決定し、予め記憶されたチャネル情報リストにおけるターゲットカントリコードに対応するターゲットチャネルリストを検索してもよい。ベースバンドチップ１０１は、ターゲットチャネルリストに従って、Ｗｉ−Ｆｉネットワークアクセスを実行することと、ホットスポットサービスを提供することとの少なくとも一方を実現するようＷｉ−Ｆｉチップ１０３を制御する。
【０１４４】
ベースバンドチップ１０１がターゲットカントリコードを決定する方法は、ベースバンドチップ１０１が、上記の実施例においてチャネル情報の複数のチャネルリストに従ってターゲットチャネルリストを決定する方法と同様であることが理解されてもよく、ここでは詳細は再説明されない。
【０１４５】
本発明の本実施例におけるＷｉ−Ｆｉ装置１０は更に、ディスプレイ画面１０４及びメモリ１０５を有してもよい。メモリ１０５は、設定されたチャネル情報を予め記憶し、メモリにより取得されたチャネル情報を更新し、これにより、Ｗｉ−Ｆｉ装置は、ターゲットチャネルリストに従って、Ｗｉ−Ｆｉネットワークアクセスを実行することと、ホットスポットサービスを提供することとの少なくとも一方を実現する。
【０１４６】
ベースバンドチップ１０１は、Ｗｉ−Ｆｉ装置のＳＴＡサイドにおけるチャネルリストを更新し、Ｗｉ−Ｆｉ装置のＡＰサイドにおけるチャネルリスト及びＳＴＡサイドにおけるチャネルリストがまた、同期的に更新されてもよい。
【０１４７】
任意的には又は更に、ベースバンドチップ１０１は更に、アップデートが成功したことをユーザに促すためアップデート成功メッセージを表示するようディスプレイ画面１０４を制御してもよく、ここで、アップデート成功メッセージは現在使用されているチャネルを含むものであってもよい。
【０１４８】
ベースバンドチップ１０１は更に、アップデートが失敗したことをユーザに促し、設定されたチャネルリストを用いて、ネットワークにアクセスすることと、ホットスポットサービスを提供することとの少なくとも一方を実現することを試みるようユーザに促すためのアップデート失敗メッセージを表示するようディスプレイ画面１０４を制御してもよい。
【０１４９】
任意的には又は更に、ベースバンドチップ１０１は更に、Ｗｉ−Ｆｉチップ１０３により受信された信号に従って、現在使用されているＷｉ−Ｆｉネットワークチャネルが干渉を受けているか検出してもよく、ベースバンドチップ１０１は、Ｗｉ−Ｆｉ装置が干渉処理機能をサポートしているか判断する。干渉が存在し、動的周波数選択ＤＦＳ機能がサポートされていると判断された場合、周波数ホッピング信号がＷｉ−Ｆｉチップ１０３に送信され、Ｗｉ−Ｆｉチップ１０３は干渉のないチャネルにスイッチし、ここで、Ｗｉ−Ｆｉチップは予め設定されたチャネルリストにおける干渉のないチャネルにスイッチしてもよく、また取得されたチャネルリストにおける干渉のないチャネルにスイッチしてもよい。
【０１５０】
任意的には、ベースバンドチップが、現在使用されているＷｉ−Ｆｉネットワークチャネルが干渉を受けていると判断し、Ｗｉ−Ｆｉ装置が送信電力制御ＴＰＣ機能をサポートしていると判断した場合、Ｗｉ−Ｆｉ装置の送信電力が低下される。
【０１５１】
ベースバンドチップ１０１が、現在使用されているＷｉ−Ｆｉネットワークチャネルが干渉を受けていると検出し、Ｗｉ−Ｆｉ装置が干渉処理機能をサポートしていないと判断した場合、Ｗｉ−Ｆｉチップは、Ｗｉ−Ｆｉネットワークを切断し、干渉のないチャネルを再選択し、Ｗｉ−Ｆｉネットワークアクセスを実行することと、ホットスポットサービスを提供することとの少なくとも一方を実現するか、又は干渉のないチャネルを手動により選択するようユーザを促し、Ｗｉ−Ｆｉネットワークアクセスを実行することと、ホットスポットサービスを提供することとの少なくとも一方を実現する。具体的な促し方法について、上記の実施例の具体的な内容が参照されてもよい。
【０１５２】
Ｗｉ−Ｆｉ装置によりサポートされる干渉処理機能は、一般に、動的周波数選択（Ｄｙｎａｍｉｃ  Ｆｒｅｑｕｅｎｃｙ  Ｓｅｌｅｃｔｉｏｎ、略してＤＦＳ）機能を有し、また送信電力制御（Ｔｒａｎｓｍｉｔｔｅｒ  Ｐｏｗｅｒ  Ｃｏｎｔｒｏｌ、略してＴＰＣ）を有してもよい。おそらく、Ｗｉ−Ｆｉ装置によりサポートされる干渉処理機能は更に、実際の状況に従って他のファンクション又は機能を有してもよく、本発明の本実施例は上記の２つのアイテムに限定されるものでない。
【０１５３】
ベースバンドチップは干渉チャネルを記録してもよく、Ｗｉ−Ｆｉ装置が干渉処理機能をサポートしないとき、干渉チャネルは利用されないことが理解されてもよい。
【０１５４】
任意的には、予め記憶されたチャネル情報リストは更に、予め記憶されたカントリコードと予め記憶された干渉チャネルとの間の第１の対応関係を有する。ターゲットチャネル情報がターゲットカントリコードであるとき、ベースバンドチップ１０１は、ターゲットチャネル情報及び第１の対応関係に従って、ターゲットチャネル情報に対応する干渉チャネルを決定する。
【０１５５】
ベースバンドチップ１０１が干渉処理機能をサポートしているとベースバンドチップ１０１が判断した場合、予め記憶されたチャネルリストの何れかのチャネル又はチャネル情報の取得されたチャネルリストを用いることによって、Ｗｉ−Ｆｉネットワークアクセスが実行されるか、又はユーザ装置のためのホットスポットサービスが提供される。
【０１５６】
ベースバンドチップ１０１が干渉処理機能をサポートしていないとベースバンドチップ１０１が判断した場合、予め記憶されたチャネルリスト又はチャネル情報の取得されたチャネルリストの干渉のないチャネルを用いることによって、Ｗｉ−Ｆｉネットワークアクセスが実行されるか、又はユーザ装置のためのホットスポットサービスが提供される。
【０１５７】
Ｗｉ−Ｆｉ装置１００は更に、ＳＩＭカード１１１、ＵＳＢインタフェース１１２及び電力管理ユニット１１４などのコンポーネントを有してもよい。これらのコンポーネントは、バスを用いることによって、ベースバンドチップ１０１に別々に接続される。要求に従ってＷｉ−Ｆｉ装置１００に含まれるコンポーネントは上記のコンポーネントより多くてもよいし、又は上記のコンポーネントより少なくてもよく、本発明の本実施例において限定されないことが理解されてもよい。
【０１５８】
本発明の本実施例において提供されるＷｉ−Ｆｉ装置によると、Ｗｉ−Ｆｉ装置の現在使用されているチャネルが干渉を受けていると検出されると、Ｗｉ−Ｆｉ装置は他のチャネルにスイッチするか、又は送信電力を低下し、これにより、レーダ信号に対する干渉及びローカルな通信法律の違反を防ぐ。
【０１５９】
明細書により開示された実施例において説明された方法のステップ及びモジュールと共に、電子的なハードウェア又はコンピュータソフトウェアとハードウェアとの組み合わせを利用することによって実現形態が実行されてもよいことに留意すべきである。上記の説明は、機能に従って各実施例のステップ及内容をすでに全体的に説明した。これらの機能がハードウェア又はソフトウェアとハードウェアによって実行されるか否かは、特定の適用及び技術的方策の設計制約条件に依存する。当業者は、異なる方法を用いて特定の各適用について説明された機能を実現してもよいが、実現形態は本発明の範囲を超えているとみなされるべきでない。
【０１６０】
本明細書において開示される実施例において説明された方法又はステップは、ハードウェア、プロセッサにより実行されるソフトウェアプログラム又はこれらの組み合わせによって実現されてもよい。ソフトウェアプログラムは、ランダム・アクセス・メモリ（ＲＡＭ）、メモリ、読み出し専用メモリ（ＲＯＭ）、電気的にプログラマブルなＲＯＭ、電気的に消去可能なプログラマブルなＲＯＭ、レジスタ、ハードディスク、着脱可能なディスク、ＣＤ−ＲＯＭ又は当該技術において既知の記憶媒体の他の何れかの形態にあってもよい。
【０１６１】
上記の説明は、本発明の単なる特定の実施例であり、本発明の保護範囲を限定することを意図していない。本発明において開示される技術的範囲内で当業者により容易に理解される何れかの変形又は置換は、本発明の保護範囲内に属する。従って、本発明の保護範囲は、請求項の保護範囲に従う。
【図１】
2016524869.tif 000004
【図２】
2016524869.tif 000005
【図３】
2016524869.tif 000006
【図４】
2016524869.tif 000007
【図５】
2016524869.tif 000008
【図６】
2016524869.tif 000009
【図７】
2016524869.tif 000010
【図８】
2016524869.tif 000011
【図９】
2016524869.tif 000012
【図１０】
2016524869.tif 000013
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
Ｗｉ−Ｆｉネットワーク接続方法であって、
第１のＷｉ−Ｆｉ装置が、第２のＷｉ−Ｆｉ装置によりブロードキャストされた少なくとも１つのパケットを取得するステップであって、各パケットはチャネル情報を有する、取得するステップと、
前記第１のＷｉ−Ｆｉ装置が、前記少なくとも１つのパケットのチャネル情報に従ってターゲットチャネル情報を決定するステップと、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップと、
を有するＷｉ−Ｆｉネットワーク接続方法。
【請求項２】
前記チャネル情報はチャネルリストを有し、前記少なくとも１つのパケットは複数のパケットを有し、
前記少なくとも１つのパケットのチャネル情報に従ってターゲットチャネル情報を決定するステップは、
前記複数のパケットの複数のチャネルリストを取得するステップと、
前記複数のチャネルリストに従ってターゲットチャネルリストを決定し、前記ターゲットチャネルリストを前記ターゲットチャネル情報として使用するステップと、
を有するか、
又は、
前記少なくとも１つのパケットは１つのパケットを有し、前記チャネル情報はチャネルリストを有し、
前記少なくとも１つのパケットのチャネル情報に従ってターゲットチャネル情報を決定するステップは、前記１つのパケットのチャネルリストを取得し、前記取得したチャネルリストを前記ターゲットチャネル情報として使用するステップを有する、請求項１記載のＷｉ−Ｆｉネットワーク接続方法。
【請求項３】
前記複数のチャネルリストに従ってターゲットチャネルリストを決定するステップは、
前記複数のチャネルリストのチャネルを比較するステップと、
同一のチャネルを有するチャネルリストの数をカウントするステップと、
前記数が第１の設定値に達すると、前記同一のチャネルを有するチャネルリストが前記ターゲットチャネルリストであると判断するステップと、
を有する、請求項２記載のＷｉ−Ｆｉネットワーク接続方法。
【請求項４】
前記チャネル情報はカントリコードを有し、前記少なくとも１つのパケットは複数のパケットを有し、
前記少なくとも１つのパケットのチャネル情報に従ってターゲットチャネル情報を決定するステップは、
前記複数のパケットの複数のカントリコードを取得するステップと、
前記複数のカントリコードに従ってターゲットカントリコードを決定し、前記ターゲットカントリコードを前記ターゲットチャネル情報として使用するステップと、
を有するか、
又は、
前記少なくとも１つのパケットは１つのパケットを有し、前記チャネル情報はカントリコードを有し、
前記少なくとも１つのパケットのチャネル情報に従ってターゲットチャネル情報を決定するステップは、前記パケットのカントリコードを取得し、前記取得したカントリコードを前記ターゲットチャネル情報として使用するステップを有する、請求項１記載のＷｉ−Ｆｉネットワーク接続方法。
【請求項５】
前記複数のカントリコードに従ってターゲットカントリコードを決定するステップは、
前記複数のカントリコードを比較するステップと、
同一のカントリコードの数をカウントするステップと、
前記数が第２の設定値に達すると、前記同一のカントリコードが前記ターゲットカントリコードであると判断するステップと、
を有する、請求項４記載のＷｉ−Ｆｉネットワーク接続方法。
【請求項６】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップは、
前記第１のＷｉ−Ｆｉ装置が、前記ターゲットチャネル情報に従って、予め記憶されたチャネル情報リストにおける前記ターゲットチャネル情報に対応する予め記憶されたチャネルリストを検索し、前記第１のＷｉ−Ｆｉ装置が、前記ターゲットチャネル情報に対応する予め記憶されたチャネルリストに従って、Ｗｉ−Ｆｉネットワークアクセスを実行するか、又はユーザ装置のためのホットスポットサービスを提供するステップを有し、
前記予め記憶されたチャネル情報リストは、予め記憶されたカントリコードと予め記憶されたチャネルリストとの間の一対一の対応関係を有し、前記予め記憶されたチャネル情報リストは少なくとも１つの一対一の対応関係を有する、請求項４又は５記載のＷｉ−Ｆｉネットワーク接続方法。
【請求項７】
前記予め記憶されたチャネル情報リストは更に、前記予め記憶されたカントリコードと予め記憶された干渉チャネルとの間の第１の対応関係を有し、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの前に、当該方法は更に、
前記第１のＷｉ−Ｆｉ装置が、前記ターゲットチャネル情報及び前記第１の対応関係に従って、前記ターゲットチャネル情報に対応する干渉チャネルを決定するステップと、
前記第１のＷｉ−Ｆｉ装置が干渉処理機能をサポートしていると前記第１のＷｉ−Ｆｉ装置が判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記第１のＷｉ−Ｆｉ装置が干渉処理機能をサポートしないと前記第１のＷｉ−Ｆｉ装置が判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択ＤＦＳ機能又は送信電力制御ＴＰＣ機能を有する、請求項６記載のＷｉ−Ｆｉネットワーク接続方法。
【請求項８】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するステップを有する、請求項１乃至６何れか一項記載のＷｉ−Ｆｉネットワーク接続方法。
【請求項９】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が送信電力制御ＴＰＣ機能をサポートしていると判断した場合、前記第１のＷｉ−Ｆｉ装置の送信電力を低下するステップを有する、請求項１乃至６何れか一項記載のＷｉ−Ｆｉネットワーク接続方法。
【請求項１０】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が干渉処理機能をサポートしていないと判断した場合、チャネルを手動により設定するか、又はＷｉ−Ｆｉネットワークを切断するようユーザを促すステップを有し、
前記干渉処理機能は、動的周波数選択ＤＦＳ機能又は送信電力制御ＴＰＣ機能を有する、請求項１乃至６何れか一項記載のＷｉ−Ｆｉネットワーク接続方法。
【請求項１１】
前記第１のＷｉ−Ｆｉ装置が、前記少なくとも１つのパケットのチャネル情報に従ってターゲットチャネル情報を決定するステップの前に、当該方法は更に、
前記第１のＷｉ−Ｆｉ装置が、アップデートチャネルのアップデート信号を受信するステップを有し、
前記アップデート信号は、ローミング信号、初期デバイス使用信号、ＳＩＭ／ＵＩＭカード挿入信号、タイミング信号又は電源オン信号である、請求項１乃至１０何れか一項記載のＷｉ−Ｆｉネットワーク接続方法。
【請求項１２】
Ｗｉ−Ｆｉ制御モジュールを有するＷｉ−Ｆｉ装置であって、
前記Ｗｉ−Ｆｉ制御モジュールは、第２のＷｉ−Ｆｉ装置によりブロードキャストされた少なくとも１つのパケットを取得するようＷｉ−Ｆｉチップを制御するよう構成され、
各パケットはチャネル情報を有し、
前記Ｗｉ−Ｆｉ制御モジュールは、前記少なくとも１つのパケットのチャネル情報に従ってターゲットチャネル情報を決定し、
前記Ｗｉ−Ｆｉ制御モジュールは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉ装置。
【請求項１３】
前記チャネル情報はチャネルリストを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記１つのパケットのチャネルリストを取得し、前記取得したチャネルリストを前記ターゲットチャネル情報として使用することを有する、請求項１２記載のＷｉ−Ｆｉ装置。
【請求項１４】
前記Ｗｉ−Ｆｉ制御モジュールが前記複数のチャネルリストに従ってターゲットチャネルリストを決定することは、前記Ｗｉ−Ｆｉ制御モジュールが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する、請求項１３記載のＷｉ−Ｆｉ装置。
【請求項１５】
前記チャネル情報はカントリコードを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記パケットのカントリコードを取得し、前記取得したカントリコードを前記ターゲットチャネル情報として使用することを有する、請求項１２記載のＷｉ−Ｆｉ装置。
【請求項１６】
前記Ｗｉ−Ｆｉ制御モジュールが前記複数のカントリコードに従ってターゲットカントリコードを決定することは、前記Ｗｉ−Ｆｉ制御モジュールが、前記複数のカントリコードを比較し、同一のカントリコードの数をカウントし、前記数が第２の設定値に達すると、前記同一のカントリコードが前記ターゲットカントリコードであると判断することを有する、請求項１５記載のＷｉ−Ｆｉ装置。
【請求項１７】
前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御することは、
前記Ｗｉ−Ｆｉ制御モジュールが、前記ターゲットチャネル情報に従って、予め記憶されたチャネル情報リストにおける前記ターゲットチャネル情報に対応する予め記憶されたチャネルリストを検索し、前記Ｗｉ−Ｆｉ制御モジュールが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する、請求項１５又は１６記載のＷｉ−Ｆｉ装置。
【請求項１８】
前記予め記憶されたチャネル情報リストは更に、前記予め記憶されたカントリコードと予め記憶された干渉チャネルとの間の第１の対応関係を有し、前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、当該方法は更に、
前記Ｗｉ−Ｆｉ制御モジュールが、前記ターゲットチャネル情報及び前記第１の対応関係に従って、前記ターゲットチャネル情報に対応する干渉チャネルを決定するステップと、
前記Ｗｉ−Ｆｉ制御モジュールが干渉処理機能をサポートしていると前記Ｗｉ−Ｆｉ制御モジュールが判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記Ｗｉ−Ｆｉ制御モジュールが干渉処理機能をサポートしないと前記Ｗｉ−Ｆｉ制御モジュールが判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択ＤＦＳ機能又は送信電力制御ＴＰＣ機能を有する、請求項１７記載のＷｉ−Ｆｉ装置。
【請求項１９】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉ装置は更に、
前記Ｗｉ−Ｆｉ制御モジュールが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御することを有する、請求項１２乃至１７何れか一項記載のＷｉ−Ｆｉ装置。
【請求項２０】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉ装置は更に、
前記Ｗｉ−Ｆｉ制御モジュールが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置の送信電力を低下することを有する、請求項１２乃至１７何れか一項記載のＷｉ−Ｆｉ装置。
【請求項２１】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ装置は更に、
前記Ｗｉ−Ｆｉ制御モジュールが、アップデートチャネルのアップデート信号を受信することを有し、
前記アップデート信号は、ローミング信号、初期デバイス使用信号、ＳＩＭ／ＵＩＭカード挿入信号、タイミング信号又は電源オン信号である、請求項１２乃至２０何れか一項記載のＷｉ−Ｆｉ装置。
【請求項２２】
Ｗｉ−Ｆｉ装置であって、
当該Ｗｉ−Ｆｉ装置は、ベースバンドチップ及びＷｉ−Ｆｉチップを有し、前記ベースバンドチップは、データバスを用いることによって前記Ｗｉ−Ｆｉチップに接続され、前記ベースバンドチップは、第２のＷｉ−Ｆｉ装置によりブロードキャストされた少なくとも１つのパケットを取得するよう前記Ｗｉ−Ｆｉチップを制御し、各パケットはチャネル情報を有し、
前記ベースバンドチップは、前記少なくとも１つのパケットのチャネル情報に従ってターゲットチャネル情報を決定し、
前記ベースバンドチップは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉ装置。
【請求項２３】
前記チャネル情報はチャネルリストを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記ベースバンドチップが前記少なくとも１つのパケットのチャネル情報に従ってターゲットチャネル情報を決定することは、前記ベースバンドチップが、前記１つのパケットのチャネルリストを取得し、前記取得したチャネルリストを前記ターゲットチャネル情報として使用する、請求項２２記載のＷｉ−Ｆｉ装置。
【請求項２４】
前記ベースバンドチップが前記複数のチャネルリストに従ってターゲットチャネルリストを決定することは、前記ベースバンドチップが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する、請求項２３記載のＷｉ−Ｆｉ装置。
【請求項２５】
前記チャネル情報はカントリコードを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記ベースバンドチップが前記少なくとも１つのパケットのチャネル情報に従ってターゲットチャネル情報を決定することは、前記ベースバンドチップが、前記パケットのカントリコードを取得し、前記取得したカントリコードを前記ターゲットチャネル情報として使用することを有する、請求項２２記載のＷｉ−Ｆｉ装置。
【請求項２６】
前記ベースバンドチップが前記複数のカントリコードに従ってターゲットカントリコードを決定することは、前記ベースバンドチップが、前記複数のカントリコードを比較し、同一のカントリコードの数をカウントし、前記数が第２の設定値に達すると、前記同一のカントリコードが前記ターゲットカントリコードであると判断することを有する、請求項２５記載のＷｉ−Ｆｉ装置。
【請求項２７】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御することは、前記ベースバンドチップが、前記ターゲットチャネル情報に従って、予め記憶されたチャネル情報リストにおける前記ターゲットチャネル情報に対応する予め記憶されたチャネルリストを検索し、前記ベースバンドチップが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する、請求項２５又は２６記載のＷｉ−Ｆｉ装置。
【請求項２８】
前記予め記憶されたチャネル情報リストは更に、前記予め記憶されたカントリコードと予め記憶された干渉チャネルとの間の第１の対応関係を有し、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記ベースバンドチップが、前記ターゲットチャネル情報及び前記第１の対応関係に従って、前記ターゲットチャネル情報に対応する干渉チャネルを決定し、
前記ベースバンドチップが干渉処理機能をサポートしていると前記ベースバンドチップが判断した場合、前記ベースバンドチップが、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するか、
又は、
前記ベースバンドチップが干渉処理機能をサポートしないと前記ベースバンドチップが判断した場合、前記ベースバンドチップが、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供し、
前記干渉処理機能は、動的周波数選択ＤＦＳ機能又は送信電力制御ＴＰＣ機能を有する、請求項２７記載のＷｉ−Ｆｉ装置。
【請求項２９】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、前記ベースバンドチップは、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御する、請求項２２乃至２７何れか一項記載のＷｉ−Ｆｉ装置。
【請求項３０】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置は更に、前記Ｗｉ−Ｆｉ装置の送信電力を低下することを有する、請求項２２乃至２７何れか一項記載のＷｉ−Ｆｉ装置。
【請求項３１】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ装置は更に、前記ベースバンドチップが、アップデートチャネルのアップデート信号を受信することを有し、前記アップデート信号は、ローミング信号、初期デバイス使用信号、ＳＩＭ／ＵＩＭカード挿入信号、タイミング信号又は電源オン信号である、請求項２２乃至３０何れか一項記載のＷｉ−Ｆｉ装置。
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
Ｗｉ−Ｆｉネットワーク接続方法であって、
第１のＷｉ−Ｆｉ装置が、第２のＷｉ−Ｆｉ装置によりブロードキャストされた少なくとも１つのパケットを取得するステップであって、各パケットはチャネル情報を有する、取得するステップと、
前記第１のＷｉ−Ｆｉ装置が、前記少なくとも１つのパケットのチャネル情報に従ってターゲットチャネル情報を決定するステップと、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップと、
を有するＷｉ−Ｆｉネットワーク接続方法。
【請求項２】
前記チャネル情報はチャネルリストを有し、前記少なくとも１つのパケットは複数のパケットを有し、
前記少なくとも１つのパケットのチャネル情報に従ってターゲットチャネル情報を決定するステップは、
前記複数のパケットの複数のチャネルリストを取得するステップと、
前記複数のチャネルリストに従ってターゲットチャネルリストを決定し、前記ターゲットチャネルリストを前記ターゲットチャネル情報として使用するステップと、
を有するか、
又は、
前記少なくとも１つのパケットは１つのパケットを有し、前記チャネル情報はチャネルリストを有し、
前記少なくとも１つのパケットのチャネル情報に従ってターゲットチャネル情報を決定するステップは、前記１つのパケットのチャネルリストを取得し、前記取得したチャネルリストを前記ターゲットチャネル情報として使用するステップを有する、請求項１記載のＷｉ−Ｆｉネットワーク接続方法。
【請求項３】
前記複数のチャネルリストに従ってターゲットチャネルリストを決定するステップは、
前記複数のチャネルリストのチャネルを比較するステップと、
同一のチャネルを有するチャネルリストの数をカウントするステップと、
前記数が第１の設定値に達すると、前記同一のチャネルを有するチャネルリストが前記ターゲットチャネルリストであると判断するステップと、
を有する、請求項２記載のＷｉ−Ｆｉネットワーク接続方法。
【請求項４】
前記チャネル情報はカントリコードを有し、前記少なくとも１つのパケットは複数のパケットを有し、
前記少なくとも１つのパケットのチャネル情報に従ってターゲットチャネル情報を決定するステップは、
前記複数のパケットの複数のカントリコードを取得するステップと、
前記複数のカントリコードに従ってターゲットカントリコードを決定し、前記ターゲットカントリコードを前記ターゲットチャネル情報として使用するステップと、
を有するか、
又は、
前記少なくとも１つのパケットは１つのパケットを有し、前記チャネル情報はカントリコードを有し、
前記少なくとも１つのパケットのチャネル情報に従ってターゲットチャネル情報を決定するステップは、前記パケットのカントリコードを取得し、前記取得したカントリコードを前記ターゲットチャネル情報として使用するステップを有する、請求項１記載のＷｉ−Ｆｉネットワーク接続方法。
【請求項５】
前記複数のカントリコードに従ってターゲットカントリコードを決定するステップは、
前記複数のカントリコードを比較するステップと、
同一のカントリコードの数をカウントするステップと、
前記数が第２の設定値に達すると、前記同一のカントリコードが前記ターゲットカントリコードであると判断するステップと、
を有する、請求項４記載のＷｉ−Ｆｉネットワーク接続方法。
【請求項６】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップは、
前記第１のＷｉ−Ｆｉ装置が、前記ターゲットチャネル情報に従って、予め記憶されたチャネル情報リストにおける前記ターゲットチャネル情報に対応する予め記憶されたチャネルリストを検索し、前記第１のＷｉ−Ｆｉ装置が、前記ターゲットチャネル情報に対応する予め記憶されたチャネルリストに従って、Ｗｉ−Ｆｉネットワークアクセスを実行するか、又はユーザ装置のためのホットスポットサービスを提供するステップを有し、
前記予め記憶されたチャネル情報リストは、予め記憶されたカントリコードと予め記憶されたチャネルリストとの間の一対一の対応関係を有し、前記予め記憶されたチャネル情報リストは少なくとも１つの一対一の対応関係を有する、請求項４又は５記載のＷｉ−Ｆｉネットワーク接続方法。
【請求項７】
前記予め記憶されたチャネル情報リストは更に、前記予め記憶されたカントリコードと予め記憶された干渉チャネルとの間の第１の対応関係を有し、
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの前に、当該方法は更に、
前記第１のＷｉ−Ｆｉ装置が、前記ターゲットチャネル情報及び前記第１の対応関係に従って、前記ターゲットチャネル情報に対応する干渉チャネルを決定するステップと、
前記第１のＷｉ−Ｆｉ装置が干渉処理機能をサポートしていると前記第１のＷｉ−Ｆｉ装置が判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するステップか、又は、
前記第１のＷｉ−Ｆｉ装置が干渉処理機能をサポートしないと前記第１のＷｉ−Ｆｉ装置が判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供するステップと、
を有し、
前記干渉処理機能は、動的周波数選択、ＤＦＳ機能又は送信電力制御ＴＰＣ機能を有する、請求項６記載のＷｉ−Ｆｉネットワーク接続方法。
【請求項８】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するステップを有する、請求項１乃至６何れか一項記載のＷｉ−Ｆｉネットワーク接続方法。
【請求項９】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が送信電力制御ＴＰＣ機能をサポートしていると判断した場合、前記第１のＷｉ−Ｆｉ装置の送信電力を低下するステップを有する、請求項１乃至６何れか一項記載のＷｉ−Ｆｉネットワーク接続方法。
【請求項１０】
前記第１のＷｉ−Ｆｉ装置が、前記ターゲットチャネル情報に従ってＷｉ−Ｆｉネットワークアクセスを実行するか、又はユーザ装置のためのホットスポットサービスを提供するステップの後に、当該方法は更に、
前記第１のＷｉ−Ｆｉ装置が、現在使用されているＷｉ−Ｆｉネットワークチャネルが干渉を受けていると判断し、前記第１のＷｉ−Ｆｉ装置が干渉処理機能をサポートしていないと判断した場合、チャネルを手動により設定するか、又はＷｉ−Ｆｉネットワークを切断するようユーザを促すステップを有し、
前記干渉処理機能は、動的周波数選択ＤＦＳ機能又は送信電力制御ＴＰＣ機能を有する、請求項１乃至６何れか一項記載のＷｉ−Ｆｉネットワーク接続方法。
【請求項１１】
前記第１のＷｉ−Ｆｉ装置が、前記少なくとも１つのパケットのチャネル情報に従ってターゲットチャネル情報を決定するステップの前に、当該方法は更に、
前記第１のＷｉ−Ｆｉ装置が、アップデートチャネルのアップデート信号を受信するステップを有し、
前記アップデート信号は、ローミング信号、初期デバイス使用信号、ＳＩＭ／ＵＩＭカード挿入信号、タイミング信号又は電源オン信号である、請求項１乃至１０何れか一項記載のＷｉ−Ｆｉネットワーク接続方法。
【請求項１２】
Ｗｉ−Ｆｉ制御モジュールを有するＷｉ−Ｆｉコントローラであって、
前記Ｗｉ−Ｆｉ制御モジュールは、第２のＷｉ−Ｆｉ装置によりブロードキャストされた少なくとも１つのパケットを取得するようＷｉ−Ｆｉチップを制御するよう構成され、
各パケットはチャネル情報を有し、
前記Ｗｉ−Ｆｉ制御モジュールは、前記少なくとも１つのパケットのチャネル情報に従ってターゲットチャネル情報を決定し、
前記Ｗｉ−Ｆｉ制御モジュールは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉコントローラ。
【請求項１３】
前記チャネル情報はチャネルリストを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記Ｗｉ−Ｆｉ制御モジュールが前記少なくとも１つのパケットのチャネル情報に従ってターゲットチャネル情報を決定することは、前記Ｗｉ−Ｆｉ制御モジュールが、前記１つのパケットのチャネルリストを取得し、前記取得したチャネルリストを前記ターゲットチャネル情報として使用することを有する、請求項１２記載のＷｉ−Ｆｉコントローラ。
【請求項１４】
前記Ｗｉ−Ｆｉ制御モジュールが前記複数のチャネルリストに従ってターゲットチャネルリストを決定することは、前記Ｗｉ−Ｆｉ制御モジュールが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する、請求項１３記載のＷｉ−Ｆｉコントローラ。
【請求項１５】
前記チャネル情報はカントリコードを有し、前記少なくとも１つのパケットは複数のパケットを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記Ｗｉ−Ｆｉ制御モジュールが前記少なくとも１つのパケットのチャネル情報に従ってターゲットチャネル情報を決定することは、
前記Ｗｉ−Ｆｉ制御モジュールが、前記パケットのカントリコードを取得し、前記取得したカントリコードを前記ターゲットチャネル情報として使用することを有する、請求項１２記載のＷｉ−Ｆｉコントローラ。
【請求項１６】
前記Ｗｉ−Ｆｉ制御モジュールが前記複数のカントリコードに従ってターゲットカントリコードを決定することは、前記Ｗｉ−Ｆｉ制御モジュールが、前記複数のカントリコードを比較し、同一のカントリコードの数をカウントし、前記数が第２の設定値に達すると、前記同一のカントリコードが前記ターゲットカントリコードであると判断することを有する、請求項１５記載のＷｉ−Ｆｉコントローラ。
【請求項１７】
前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御することは、
前記Ｗｉ−Ｆｉ制御モジュールが、前記ターゲットチャネル情報に従って、予め記憶されたチャネル情報リストにおける前記ターゲットチャネル情報に対応する予め記憶されたチャネルリストを検索し、前記Ｗｉ−Ｆｉ制御モジュールが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する、請求項１５又は１６記載のＷｉ−Ｆｉコントローラ。
【請求項１８】
前記予め記憶されたチャネル情報リストは更に、前記予め記憶されたカントリコードと予め記憶された干渉チャネルとの間の第１の対応関係を有し、前記Ｗｉ−Ｆｉ制御モジュールが前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ制御モジュールは更に、
前記Ｗｉ−Ｆｉ制御モジュールが、前記ターゲットチャネル情報及び前記第１の対応関係に従って、前記ターゲットチャネル情報に対応する干渉チャネルを決定し、
前記Ｗｉ−Ｆｉ制御モジュールが干渉処理機能をサポートしていると前記Ｗｉ−Ｆｉ制御モジュールが判断した場合、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するか、又は、
前記Ｗｉ−Ｆｉ制御モジュールが干渉処理機能をサポートしないと前記Ｗｉ−Ｆｉ制御モジュールが判断した場合、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供する、
よう構成され、
前記干渉処理機能は、動的周波数選択ＤＦＳ機能又は送信電力制御ＴＰＣ機能を有する、請求項１７記載のＷｉ−Ｆｉコントローラ。
【請求項１９】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉ装置は更に、
前記Ｗｉ−Ｆｉ制御モジュールが、現在使用されているＷｉ−Ｆｉネットワークチャネルが干渉を受けていると判断し、前記Ｗｉ−Ｆｉコントローラが動的周波数選択ＤＦＳ機能をサポートしていると判断した場合、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御することを有する、請求項１２乃至１７何れか一項記載のＷｉ−Ｆｉコントローラ。
【請求項２０】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御した後に、前記Ｗｉ−Ｆｉ装置は更に、
前記Ｗｉ−Ｆｉ制御モジュールが、現在使用されているＷｉ−Ｆｉネットワークチャネルが干渉を受けていると判断し、前記Ｗｉ−Ｆｉコントローラが送信電力制御ＴＰＣ機能をサポートしていると判断した場合、前記Ｗｉ−Ｆｉ装置の送信電力を低下することを有する、請求項１２乃至１７何れか一項記載のＷｉ−Ｆｉコントローラ。
【請求項２１】
前記Ｗｉ−Ｆｉ制御モジュールが、前記ターゲットチャネル情報に従ってＷｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉコントローラは更に、
前記Ｗｉ−Ｆｉ制御モジュールが、アップデートチャネルのアップデート信号を受信することを有し、
前記アップデート信号は、ローミング信号、初期デバイス使用信号、ＳＩＭ／ＵＩＭカード挿入信号、タイミング信号又は電源オン信号である、請求項１２乃至２０何れか一項記載のＷｉ−Ｆｉコントローラ。
【請求項２２】
Ｗｉ−Ｆｉ装置であって、
当該Ｗｉ−Ｆｉ装置は、ベースバンドチップ及びＷｉ−Ｆｉチップを有し、前記ベースバンドチップは、データバスを用いることによって前記Ｗｉ−Ｆｉチップに接続され、前記ベースバンドチップは、第２のＷｉ−Ｆｉ装置によりブロードキャストされた少なくとも１つのパケットを取得するよう前記Ｗｉ−Ｆｉチップを制御し、各パケットはチャネル情報を有し、
前記ベースバンドチップは、前記少なくとも１つのパケットのチャネル情報に従ってターゲットチャネル情報を決定し、
前記ベースバンドチップは、前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御するＷｉ−Ｆｉ装置。
【請求項２３】
前記チャネル情報はチャネルリストを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のチャネルリストを取得し、前記複数のチャネルリストに従ってターゲットチャネルリストを決定し、前記ターゲットチャネルリストを前記ターゲットチャネル情報として使用することを有するか、
又は、
前記少なくとも１つのパケットは１つのパケットを有し、前記チャネル情報はチャネルリストを有し、
前記ベースバンドチップが前記少なくとも１つのパケットのチャネル情報に従ってターゲットチャネル情報を決定することは、前記ベースバンドチップが、前記１つのパケットのチャネルリストを取得し、前記取得したチャネルリストを前記ターゲットチャネル情報として使用する、請求項２２記載のＷｉ−Ｆｉ装置。
【請求項２４】
前記ベースバンドチップが前記複数のチャネルリストに従ってターゲットチャネルリストを決定することは、前記ベースバンドチップが、前記複数のチャネルリストのチャネルを比較し、同一のチャネルを有するチャネルリストの数をカウントし、前記数が第１の設定値に達すると、前記同一のチャネルを有するチャネルリストが前記ターゲットチャネルリストであると判断することを有する、請求項２３記載のＷｉ−Ｆｉ装置。
【請求項２５】
前記チャネル情報はカントリコードを有し、前記少なくとも１つのパケットは複数のパケットを有し、
前記ベースバンドチップが前記少なくとも１つのパケットのチャネル情報に従ってターゲットチャネル情報を決定することは、前記ベースバンドチップが、前記複数のパケットの複数のカントリコードを取得し、前記複数のカントリコードに従ってターゲットカントリコードを決定し、前記ターゲットカントリコードを前記ターゲットチャネル情報として使用することを有するか、
又は、
前記少なくとも１つのパケットは１つのパケットを有し、前記チャネル情報はカントリコードを有し、
前記ベースバンドチップが前記少なくとも１つのパケットのチャネル情報に従ってターゲットチャネル情報を決定することは、前記ベースバンドチップが、前記パケットのカントリコードを取得し、前記取得したカントリコードを前記ターゲットチャネル情報として使用することを有する、請求項２２記載のＷｉ−Ｆｉ装置。
【請求項２６】
前記ベースバンドチップが前記複数のカントリコードに従ってターゲットカントリコードを決定することは、前記ベースバンドチップが、前記複数のカントリコードを比較し、同一のカントリコードの数をカウントし、前記数が第２の設定値に達すると、前記同一のカントリコードが前記ターゲットカントリコードであると判断することを有する、請求項２５記載のＷｉ−Ｆｉ装置。
【請求項２７】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御することは、前記ベースバンドチップが、前記ターゲットチャネル情報に従って、予め記憶されたチャネル情報リストにおける前記ターゲットチャネル情報に対応する予め記憶されたチャネルリストを検索し、前記ベースバンドチップが、前記ターゲットチャネル情報に対応する予め記憶されたチャネルリストに従って、Ｗｉ−Ｆｉネットワークアクセスを実行するか、又はユーザ装置のためのホットスポットサービスを提供するよう前記Ｗｉ−Ｆｉチップを制御することを有し、
前記予め記憶されたチャネル情報リストは、予め記憶されたカントリコードと予め記憶されたチャネルリストとの間の一対一の対応関係を有し、前記予め記憶されたチャネル情報リストは、少なくとも１つの一対一の対応関係を有する、請求項２５又は２６記載のＷｉ−Ｆｉ装置。
【請求項２８】
前記予め記憶されたチャネル情報リストは更に、前記予め記憶されたカントリコードと予め記憶された干渉チャネルとの間の第１の対応関係を有し、前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記ベースバンドチップが、前記ターゲットチャネル情報及び前記第１の対応関係に従って、前記ターゲットチャネル情報に対応する干渉チャネルを決定し、
前記ベースバンドチップが干渉処理機能をサポートしていると前記ベースバンドチップが判断した場合、前記ベースバンドチップが、前記予め記憶されたチャネルリストの何れかのチャネル又は前記チャネル情報の取得されたチャネルリストを用いることによって、Ｗｉ−Ｆｉネットワークアクセスを実行するか、又はユーザ装置のためのホットスポットサービスを提供するか、
又は、
前記ベースバンドチップが干渉処理機能をサポートしないと前記ベースバンドチップが判断した場合、前記ベースバンドチップが、前記予め記憶されたチャネルリスト又は前記チャネル情報の取得されたチャネルリストの干渉のないチャネルを用いることによって、Ｗｉ−Ｆｉネットワークアクセスを実行するか、又はユーザ装置のためのホットスポットサービスを提供し、
前記干渉処理機能は、動的周波数選択ＤＦＳ機能又は送信電力制御ＴＰＣ機能を有する、請求項２７記載のＷｉ−Ｆｉ装置。
【請求項２９】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が動的周波数選択ＤＦＳ機能をサポートしていると判断した場合、前記ベースバンドチップは、干渉のないチャネルにスイッチし、Ｗｉ−Ｆｉネットワークアクセスを実行するか、又はユーザ装置のためのホットスポットサービスを提供するよう前記Ｗｉ−Ｆｉチップを制御する、請求項２２乃至２７何れか一項記載のＷｉ−Ｆｉ装置。
【請求項３０】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御した後に、前記ベースバンドチップが、現在使用されているＷｉ−Ｆｉネットワークチャネルが干渉を受けていると判断し、前記Ｗｉ−Ｆｉ装置が送信電力制御ＴＰＣ機能をサポートしていると判断した場合、前記Ｗｉ−Ｆｉ装置は更に、前記Ｗｉ−Ｆｉ装置の送信電力を低下することを有する、請求項２２乃至２７何れか一項記載のＷｉ−Ｆｉ装置。
【請求項３１】
前記ベースバンドチップが前記ターゲットチャネル情報に従って、Ｗｉ−Ｆｉネットワークアクセスを実行するか、又はユーザ装置のためのホットスポットサービスを提供するよう前記Ｗｉ−Ｆｉチップを制御する前に、前記Ｗｉ−Ｆｉ装置は更に、前記ベースバンドチップが、アップデートチャネルのアップデート信号を受信することを有し、前記アップデート信号は、ローミング信号、初期デバイス使用信号、ＳＩＭ／ＵＩＭカード挿入信号、タイミング信号又は電源オン信号である、請求項２２乃至３０何れか一項記載のＷｉ−Ｆｉ装置。
【手続補正２】
【補正対象書類名】明細書
【補正対象項目名】００８６
【補正方法】変更
【補正の内容】
【００８６】
Ｓ７３．第１のＷｉ−Ｆｉ装置が干渉処理機能をサポートしないと第１のＷｉ−Ｆｉ装置が判断した場合、チャネル情報の予め記憶されたチャネルリスト又は取得されたチャネルリストの干渉のないチャネルを用いることによって、Ｗｉ−Ｆｉネットワークアクセスを実行するか、又はユーザ装置のためのホットスポットサービスを提供し、ここで、干渉処理機能は、動的周波数選択（Ｄｙｎａｍｉｃ  Ｆｒｅｑｕｅｎｃｙ  Ｓｅｌｅｃｔｉｏｎ、略してＤＦＳ）機能又は送信電力制御（Ｔｒａｎｓｍｉｔ  Ｐｏｗｅｒ  Ｃｏｎｔｒｏｌ、略してＴＰＣ）機能を有する。
【手続補正３】
【補正対象書類名】明細書
【補正対象項目名】０１１２
【補正方法】変更
【補正の内容】
【０１１２】
Ｗｉ−Ｆｉ制御モジュールが複数のチャネルリストに従ってターゲットチャネルリストを決定することは、Ｗｉ−Ｆｉ制御モジュールが、複数のチャネルリストのチャネルを比較し、同一のチャネルを有するチャネルリストの数をカウントし、当該数が第１の設定値に達すると、同一のチャネルを有するチャネルリストがターゲットチャネルリストであると判断することを有する。当該数が第１の設定値に達していないと判断された場合、ターゲットチャネルリストの精度を向上させるため、Ｗｉ−Ｆｉ制御モジュール１１は、複数回第２のＷｉ−Ｆｉ装置のチャネル情報を繰り返し取得してもよく、Ｗｉ−Ｆｉ制御モジュール１１は、複数回取得された第２のＷｉ−Ｆｉ装置の少なくとも１つのチャネルリストに従ってターゲットチャネルリストを決定する。
【手続補正４】
【補正対象書類名】明細書
【補正対象項目名】０１１７
【補正方法】変更
【補正の内容】
【０１１７】
任意的には又は更に、Ｗｉ−Ｆｉ制御モジュール１１がＷｉ−Ｆｉネットワークアクセスを実行するか、又はユーザ装置のためのホットスポットサービスを提供するようＷｉ−Ｆｉチップを制御する前に、Ｗｉ−Ｆｉ装置は更に、
Ｗｉ−Ｆｉ制御モジュール１１が、ターゲットチャネル情報及び第１の対応関係に従って、ターゲットチャネル情報に対応する干渉チャネルを決定し、
Ｗｉ−Ｆｉ制御モジュールが干渉処理機能をサポートしているとＷｉ−Ｆｉ制御モジュール１１が判断した場合、予め記憶されたチャネルリストの何れかのチャネル又はチャネル情報の取得されたチャネルリストを用いることによって、Ｗｉ−Ｆｉネットワークアクセスを実行するか、又はユーザ装置のためのホットスポットサービスを提供するか、又は、
Ｗｉ−Ｆｉ制御モジュールが干渉処理機能をサポートしないとＷｉ−Ｆｉ制御モジュール１１が判断した場合、チャネル情報の予め記憶されたチャネルリスト又は取得されたチャネルリストの干渉のないチャネルを用いることによって、Ｗｉ−Ｆｉネットワークアクセスを実行するか、又はユーザ装置のためのホットスポットサービスを提供する、ことを有し、ここで、Ｗｉ−Ｆｉ装置によりサポートされる干渉処理機能は、動的周波数選択（Ｄｙｎａｍｉｃ  Ｆｒｅｑｕｅｎｃｙ  Ｓｅｌｅｃｔｉｏｎ、略してＤＦＳ）機能を有するか、又は送信電力制御（Ｔｒａｎｓｍｉｔ  Ｐｏｗｅｒ  Ｃｏｎｔｒｏｌ、略してＴＰＣ）機能をまた有してもよい。おそらく、Ｗｉ−Ｆｉ装置によりサポートされる干渉処理機能は更に、実際の状況に従って他のファンクション又は機能を有してもよく、本発明の本実施例は上記の２つのアイテムに限定されない。
【手続補正５】
【補正対象書類名】明細書
【補正対象項目名】０１２９
【補正方法】変更
【補正の内容】
【０１２９】
ベースバンドチップは、第２のＷｉ−Ｆｉ装置によりブロードキャストされた少なくとも１つのパケットを取得するようＷｉ−Ｆｉチップ１０３を制御し、ここで、各パケットはチャネル情報を有し、ベースバンドチップ１０１は、少なくとも１つのパケットのチャネル情報に従ってターゲットチャネル情報を決定し、ベースバンドチップは、ターゲットチャネル情報に従って、Ｗｉ−Ｆｉネットワークアクセスを実行するか、又はユーザ装置のためのホットスポットサービスを提供するようＷｉ−Ｆｉチップ１０３を制御する。
【手続補正６】
【補正対象書類名】明細書
【補正対象項目名】０１４５
【補正方法】変更
【補正の内容】
【０１４５】
本発明の本実施例におけるＷｉ−Ｆｉ装置１００は更に、ディスプレイ画面１０４及びメモリ１０５を有してもよい。メモリ１０５は、設定されたチャネル情報を予め記憶し、メモリにより取得されたチャネル情報を更新し、これにより、Ｗｉ−Ｆｉ装置は、ターゲットチャネルリストに従って、Ｗｉ−Ｆｉネットワークアクセスを実行することと、ホットスポットサービスを提供することとの少なくとも一方を実現する。
【手続補正７】
【補正対象書類名】明細書
【補正対象項目名】０１５２
【補正方法】変更
【補正の内容】
【０１５２】
Ｗｉ−Ｆｉ装置によりサポートされる干渉処理機能は、一般に、動的周波数選択（Ｄｙｎａｍｉｃ  Ｆｒｅｑｕｅｎｃｙ  Ｓｅｌｅｃｔｉｏｎ、略してＤＦＳ）機能を有し、また送信電力制御（Ｔｒａｎｓｍｉｔ  Ｐｏｗｅｒ  Ｃｏｎｔｒｏｌ、略してＴＰＣ）を有してもよい。おそらく、Ｗｉ−Ｆｉ装置によりサポートされる干渉処理機能は更に、実際の状況に従って他のファンクション又は機能を有してもよく、本発明の本実施例は上記の２つのアイテムに限定されるものでない。
【国際調査報告】
2016524869.tif 000014
2016524869.tif 000015
2016524869.tif 000016
2016524869.tif 000017